(57)【要約】アクセス端末（ＡＴ）とアクセスポイント（ＡＰ）との間における通信に関する方法及び装置が説明される。ＡＰとＡＴとの間における、エアリンクを通じての通信に関して、ＰＮ（疑似ランダム雑音）符号に基づくアドレスがＡＰ識別子、例えばアドレス、として用いられる。前記ＰＮ符号に基づくアドレスは、ＡＰから受信されたパイロットＰＮ符号に基づく信号に基づくことができる。従って、前記ＰＮに基づくＡＰアドレスは、ＡＰから受信されたパイロット信号から決定することができる。前記ＰＮに基づくＡＰアドレスは、ＡＰに対応するＰＮ符号の短縮版、ＡＰに対応する全ＰＮ符号、又はＡＰに対応するＰＮ符号から既知の方法で導き出すことができる値であることができる。【代表図】        図６
2009540696.tif 000002
【特許請求の範囲】
【請求項１】
アクセス端末に情報を通信する方法であって、
パケットを生成することであって、前記パケットは、アクセスポイントを識別するＰＮ符号アドレスと前記アクセス端末に通信されるべき情報とを含むことと、
前記生成されたパケットをエアリンクを通じて送信すること、とを具備する、方法。
【請求項２】
前記パケットを生成することは、前記アクセスポイントに対応する他のアドレスから前記ＰＮ符号アドレスを決定することを含み、前記他のアドレスは、前記ＰＮ符号アドレスよりも多いビットを含む請求項１に記載の方法。
【請求項３】
前記他のアドレスは、ＩＰアドレスである請求項２に記載の方法。
【請求項４】
前記識別されたアクセスポイントは、遠隔アクセスポイントであり、前記方法は、前記アクセス端末とアクティブエアリンクを有する交信アクセスポイントによって実行され、前記パケットを生成する前に、
前記遠隔アクセスポイントからパケットを受信することであって、前記受信されたパケットは、前記遠隔アクセスポイントに対応するＩＰアドレスと前記アクセス端末に通信されるべき情報とを含むことと、
ＩＰアドレスからＰＮ符号アドレスへのマッピング情報データベースから、前記遠隔アクセスポイントの前記ＩＰアドレスに対応するＰＮ符号アドレス情報を取り出すこと、とをさらに具備する請求項２に記載の方法。
【請求項５】
ＰＮ符号アドレス決定動作を実行することは、
前記遠隔アクセスポイントの前記ＩＰアドレスに対応する前記取り出されたＰＮ符号アドレス情報から前記遠隔アクセスポイントに対応する前記ＰＮ符号アドレスを決定することをさらに含む請求項４に記載の方法。
【請求項６】
前記ＰＮ符号アドレス情報は、前記遠隔アクセスポイントに対応する前記ＰＮ符号アドレスを含み、
アドレス決定動作を実行する前記ステップは、前記取り出されたＰＮ符号アドレスを前記送信されたパケットに含まれる前記ＰＮ符号アドレスとして用いることを含む請求項５に記載の方法。
【請求項７】
前記取り出されたＰＮ符号アドレス情報は、前記遠隔アクセスポイントに対応する前記ＰＮ符号アドレスを予め決められた機能によって導き出すことができる値を含み、
前記遠隔デバイスに対応する前記ＰＮ符号アドレスを決定することは、前記予め決められた機能を用いて、前記取り出されたＰＮ符号アドレス情報に含まれる前記値から前記ＰＮ符号アドレスを生成することを含む請求項５に記載の方法。
【請求項８】
前記決定されたＰＮ符号アドレスは、前記遠隔アクセスポイントによって用いられるパイロットＰＮ符号の一部分であり、
パケットを生成することは、前記受信されたパケットに含まれる情報を前記生成されたパケット内に含めることを含む請求項７に記載の方法。
【請求項９】
装置であって、
無線デバイスにおいて用いるためのプロセッサであって、
パケットを生成し、
前記生成されたパケットをエアリンクを通じて送信するように構成され、前記パケットは、アクセスポイントを識別するＰＮ符号アドレスとアクセス端末に通信されるべき情報とを含むプロセッサ、を具備する、装置。
【請求項１０】
前記プロセッサは、前記パケットを生成する際に、
前記アクセスポイントに対応する他のアドレスから前記ＰＮ符号アドレスを決定するようにさらに構成され、前記他のアドレスは、前記ＰＮ符号アドレスよりも多いビットを含む請求項９に記載の装置。
【請求項１１】
前記他のアドレスは、ＩＰアドレスである請求項１０に記載の装置。
【請求項１２】
前記識別されたアクセスポイントは、遠隔アクセスポイントであり、前記無線デバイスは、前記アクセス端末とアクティブエアリンクを有する交信アクセスポイントであり、前記プロセッサは、前記パケットを生成する前に、
前記遠隔アクセスポイントからパケットを受信し、
ＩＰアドレスからＰＮ符号アドレスへのマッピング情報データベースから、前記遠隔アクセスポイントの前記ＩＰアドレスに対応するＰＮ符号アドレス情報を取り出すように構成され、前記受信されたパケットは、前記遠隔アクセスポイントに対応するＩＰアドレスと前記アクセス端末に通信されるべき情報とを含む請求項１０に記載の装置。
【請求項１３】
前記プロセッサは、前記ＰＮ符号アドレス決定動作を実行する際に、
前記遠隔アクセスポイントの前記ＩＰアドレスに対応する前記取り出されたＰＮ符号アドレス情報から前記遠隔アクセスポイントに対応する前記ＰＮ符号アドレスを決定することによってＰＮ符号アドレス決定動作を実行するようにさらに構成される請求項１２に記載の装置。
【請求項１４】
アクセス端末に情報を通信するための機械によって実行可能な命令を具体化したコンピュータによって読み取り可能な媒体であって、前記方法は、
パケットを生成することであって、前記パケットは、アクセスポイントを識別するＰＮ符号アドレスと通信されるべき情報とを含むことと、
前記生成されたパケットをエアリンクを通じて送信すること、とを具備する、コンピュータによって読み取り可能な媒体。
【請求項１５】
前記パケットを生成する一方で、前記アクセスポイントに対応する他のアドレスから前記ＰＮ符号アドレスを決定するための機械によって実行可能な命令であって、前記他のアドレスは、前記ＰＮ符号アドレスよりも多いビットを含む機械によって実行可能な命令、をさらに具体化した請求項１４に記載のコンピュータによって読み取り可能な媒体。
【請求項１６】
前記他のアドレスは、ＩＰアドレスである請求項１５に記載のコンピュータによって読み取り可能な媒体。
【請求項１７】
前記識別されたアクセスポイントは、遠隔アクセスポイントであり、前記方法は、前記アクセス端末とアクティブエアリンクを有する交信アクセスポイントによって実行され、前記パケットを生成する前に、
前記遠隔アクセスポイントからパケットを受信し、
ＩＰアドレスからＰＮ符号アドレスへのマッピング情報データベースから、前記遠隔アクセスポイントの前記ＩＰアドレスに対応するＰＮ符号アドレス情報を取り出すための機械によって実行可能な命令であって、前記受信されたパケットは、前記遠隔アクセスポイントに対応するＩＰアドレスと前記アクセス端末に通信されるべき情報とを含む機械によって実行可能な命令、をさらに具体化した請求項１５に記載のコンピュータによって読み取り可能な媒体。
【請求項１８】
前記遠隔アクセスポイントの前記ＩＰアドレスに対応する前記取り出されたＰＮ符号アドレス情報から前記遠隔アクセスポイントに対応する前記ＰＮ符号アドレスを決定するための機械によって実行可能な命令をさらに具体化した請求項１７に記載のコンピュータによって読み取り可能な媒体。
【請求項１９】
遠隔アクセスポイントに情報を通信するためにアクセスポイントを動作させる方法であって、
アクセス端末からパケットを受信することであって、前記パケットは、ＰＮ符号アドレスと遠隔デバイスに通信されるべき情報とを含むことと、
前記遠隔デバイスにパケットを通信するために用いられる前記ＰＮ符号アドレスに対応する長アドレスを決定することであって、前記長アドレスは、前記ＰＮ符号アドレスよりも多いビットを含むことと、
通信されるべき前記情報を、前記長アドレスとともに、前記遠隔デバイスに送信すること、とを具備する、方法。
【請求項２０】
前記ＰＮ符号アドレスに対応する長アドレスを決定することは、ＩＰアドレスからＰＮ符号アドレスへのマッピング情報データベースから、ＰＮ符号アドレスに対応するＩＰアドレスを取り出すことを含む請求項１９に記載の方法。
【請求項２１】
前記ＰＮ符号アドレスに対応する長アドレスを決定する前記ステップの前に、
前記システム内のその他のアクセスポイントによって用いられるＰＮ符号を示す情報を受信することと、
前記システム内のその他のノードに対応するＰＮ符号情報を前記その他のノードに対応する対応する長アドレスとともに格納すること、とをさらに具備する請求項２０に記載の方法。
【請求項２２】
前記格納されたＰＮ符号情報は、ＰＮ符号アドレスから予め決められた既知の方法で決定することができる値を含む請求項２１に記載の方法。
【請求項２３】
前記格納されたＰＮ符号情報は、前記遠隔アクセスポイントの前記ＩＰアドレスに対応する前記ＰＮ符号アドレスを含む請求項２１に記載の方法。
【請求項２４】
通信されるべき前記情報を前記長アドレスとともに前記遠隔デバイスに送信することは、レイヤ２トンネルを通じて前記遠隔アクセスポイントに前記パケットをルーティングするために用いられるヘッダー内の行先識別子として前記決定されたＩＰアドレスを用いて前記遠隔アクセスポイントに前記受信された情報を送信することを含む請求項２１に記載の方法。
【請求項２５】
装置であって、
アクセス端末からパケットを受信し、
前記遠隔デバイスにパケットを通信するために用いられる前記ＰＮ符号アドレスに対応する長アドレスを決定し、
通信されるべき前記情報を前記長アドレスとともに前記遠隔デバイスに送信するように構成されたプロセッサであって、
前記パケットは、ＰＮ符号アドレスと遠隔デバイスに通信されるべき情報とを含み、前記長アドレスは、前記ＰＮ符号アドレスよりも多いビットを含むプロセッサ、を具備する、装置。
【請求項２６】
前記プロセッサは、前記ＰＮ符号アドレスに対応する長アドレスを決定する際に、
ＩＰアドレスからＰＮ符号アドレスへのマッピング情報データベースから、ＰＮ符号アドレスに対応するＩＰアドレスを取り出すようにさらに構成される請求項２５に記載の装置。
【請求項２７】
前記プロセッサは、前記ＰＮ符号アドレスに対応する長アドレスを決定する前記ステップの前に、
前記システム内のその他のアクセスポイントによって用いられるＰＮ符号を示す情報を受信し、
前記システム内のその他のノードに対応するＰＮ符号情報を前記その他のノードに対応する対応する長アドレスとともに格納するようにさらに構成される請求項２６に記載の装置。
【請求項２８】
前記格納されたＰＮ符号情報は、ＰＮ符号アドレスから予め決められた既知の方法で決定することができる値を含む請求項２７に記載の装置。
【請求項２９】
前記プロセッサは、通信されるべき前記情報を前記長アドレスとともに前記遠隔デバイスに送信する際に、
レイヤ２トンネルを通じて前記遠隔アクセスポイントに前記パケットをルーティングするために用いられるヘッダー内の行先識別子として前記決定されたＩＰアドレスを用いて前記遠隔アクセスポイントに前記受信された情報を送信するようにさらに構成される請求項２７に記載の装置。
【請求項３０】
遠隔アクセスポイントに情報を通信するためにアクセスポイントを動作させるための機械によって実行可能な命令を具体化したコンピュータによって読み取り可能な媒体であって、前記方法は、
アクセス端末からパケットを受信することであって、前記パケットは、ＰＮ符号アドレスと遠隔デバイスに通信されるべき情報とを含むことと、
前記遠隔デバイスに対応するパケットを通信するために用いられる前記ＰＮ符号アドレスに対応する長アドレスを決定することであって、前記長アドレスは、前記ＰＮ符号アドレスよりも多いビットを含むことと、
通信されるべき前記情報を、前記長アドレスとともに、前記遠隔デバイスに送信すること、とを具備する、コンピュータによって読み取り可能な媒体。
【請求項３１】
前記ＰＮ符号アドレスに対応する長アドレスを決定する際に、
ＩＰアドレスからＰＮ符号アドレスへのマッピング情報データベースから、ＰＮ符号アドレスに対応するＩＰアドレスを取り出すための機械によって実行可能な命令をさらに具体化した請求項３０に記載のコンピュータによって読み取り可能な媒体。
【請求項３２】
前記ＰＮ符号アドレスに対応する長アドレスを決定する前記ステップの前に、
前記システム内のその他のアクセスポイントによって用いられるＰＮ符号を示す情報を受信し、
前記システム内のその他のノードに対応するＰＮ符号情報を前記その他のノードに対応する対応する長アドレスとともに格納するための機械によって実行可能な命令をさらに具体化した請求項３１に記載のコンピュータによって読み取り可能な媒体。
【請求項３３】
前記格納されたＰＮ符号情報は、ＰＮ符号アドレスから予め決められた既知の方法で決定することができる値を含む請求項３２に記載のコンピュータによって読み取り可能な媒体。
【請求項３４】
通信されるべき前記情報を前記長アドレスとともに前記遠隔デバイスに送信するに際して、
前記決定されたＩＰアドレスをレイヤ２トンネルを通じて前記遠隔アクセスポイントにルーティングするために用いられるヘッダー内の行先識別子として用いて前記受信された情報を前記遠隔アクセスポイントに送信するための機械によって実行可能な命令をさらに具体化した請求項３３に記載のコンピュータによって読み取り可能な媒体。
【請求項３５】
アクセス端末に情報を通信するためのアクセスポイントであって、
ネットワーク接続を介して遠隔デバイスからパケットを受信するためのネットワークインタフェースであって、前記パケットは、長アドレスと通信されるべき情報とを含むネットワークインタフェースと、
前記長アドレスに対応するＰＮ符号アドレスを決定するための長アドレスからＰＮ符号アドレスへのマッピングモジュールであって、前記ＰＮ符号アドレスは、無線通信リンクを通じて用いられ、前記ＰＮ符号アドレスは、前記長アドレスよりも少ないビットを含む長アドレスからＰＮ符号アドレスへのマッピングモジュールと、
前記ＰＮ符号アドレスと通信されるべき前記情報とを含むパケットを生成するためのダウンリンクパケット生成モジュールと、
前記無線通信リンクを通じてダウンリンクパケットを送信するための無線送信機と、を具備する、アクセスポイント。
【請求項３６】
長アドレスを対応するＰＮ符号アドレス情報と関連づける格納された情報を含む、前記長アドレスからＰＮ符号アドレスへのマッピングモジュールにとってアクセス可能な、アドレス情報データベースをさらに具備する請求項３５に記載のアクセスポイント。
【請求項３７】
前記長アドレスは、ＩＰアドレスである請求項３６に記載のアクセスポイント。
【請求項３８】
前記ＰＮ符号アドレスは、前記ＰＮ符号アドレスに対応する前記長アドレスを有するアクセスポイントによって用いられるパイロットＰＮ符号に基づく請求項３７に記載のアクセスポイント。
【請求項３９】
前記長アドレスは、レイヤ２トンネルを通じて前記遠隔デバイスと前記アクセスポイントとの間においてパケットをルーティングするために用いられるアドレスであり、
前記ＰＮ符号情報は、エアリンクを通じてパケットを通信するために用いられるＰＮ符号アドレスを含む請求項３８に記載のアクセスポイント。
【請求項４０】
前記ネットワークインタフェースは、バックホールリンクによって前記遠隔デバイスに結合され、前記遠隔デバイスは、遠隔アクセスポイントである請求項３９に記載のアクセスポイント。
【請求項４１】
アクセス端末からパケットを受信するための無線受信機であって、前記パケットは、ＰＮ符号アドレスと前記遠隔デバイスに通信されるべき情報とを含む無線受信機と、
前記遠隔デバイスに情報を通信するために用いられる前記ＰＮ符号アドレスに対応する長アドレスを決定するためのＰＮ符号アドレスから長アドレスへのマッピングモジュールであって、前記長アドレスは、前記ＰＮ符号アドレスよりも多いビットを含むＰＮ符号アドレスから長アドレスへのマッピングモジュールと、
前記遠隔デバイスに送信されるべきパケットを生成するためのトンネル化パケット生成モジュールであって、ｉ）受信されたパケットに含まれるＰＮ符号アドレスから決定された長アドレスとｉｉ）前記長アドレスを決定するために用いられた短アドレスを含んでいた前記受信されたパケットに含まれていた通信されるべき情報とを含むパケットを生成するトンネル化パケット生成モジュールと、をさらに具備する請求項３５に記載のアクセスポイント。
【請求項４２】
アクセス端末に情報を通信するためのアクセスポイントであって、
ネットワーク接続を介して遠隔デバイスからパケットを受信するためのネットワークインタフェース手段であって、前記パケットは、長アドレスと通信されるべき情報とを含むネットワークインタフェース手段と、
前記長アドレスに対応するＰＮ符号アドレスを決定するための手段であって、前記ＰＮ符号アドレスは、無線通信リンクを通じて用いられ、前記ＰＮ符号アドレスは、前記長アドレスよりも少ないビットを含む手段と、
前記ＰＮ符号アドレスと通信されるべき前記情報とを含むパケットを生成するための手段と、
前記無線通信リンクを通じてダウンリンクパケットを送信するための手段と、を具備する、アクセスポイント。
【請求項４３】
長アドレスを対応するＰＮ符号アドレス情報と関連づける格納された情報を含む、決定するための前記手段にとってアクセス可能な、アドレス情報データベース手段をさらに具備する請求項４２に記載のアクセスポイント。
【請求項４４】
前記長アドレスは、ＩＰアドレスである請求項４３に記載のアクセスポイント。
【請求項４５】
前記ＰＮ符号アドレスは、前記ＰＮ符号アドレスに対応する前記長アドレスを有するアクセスポイントによって用いられるパイロットＰＮ符号に基づく請求項４４に記載のアクセスポイント。
【請求項４６】
前記長アドレスは、レイヤ２トンネルを通じて前記遠隔デバイスと前記アクセスポイントとの間においてパケットをルーティングするために用いられるアドレスであり、
前記ＰＮ符号情報は、エアリンクを通じてパケットを通信するために用いられるＰＮ符号アドレスを含む請求項４５に記載のアクセスポイント。  
【請求項４７】
情報を通信するためにアクセス端末を動作させる方法であって、
デバイスから信号を受信することと、
前記受信された信号からＰＮ符号アドレスを生成することと、
前記ＰＮ符号アドレスを含むパケットを生成することであって、前記パケットは、前記デバイスに向けられること、とを具備する、方法。
【請求項４８】
無線通信リンクを通じて第１のアクセスポイントに前記パケットを送信することをさらに具備する請求項４７に記載の方法。
【請求項４９】
前記信号は、パイロット信号であり、
前記デバイスは、遠隔アクセスポイントであり、
前記第１のアクセスポイントは、通信リンクによって前記遠隔アクセスポイントに結合される請求項４７に記載の方法。
【請求項５０】
前記ＰＮ符号アドレスは、他のエアリンクアドレスが前記デバイスに関して利用可能でないときにはデフォルトとして用いられる請求項４７に記載の方法。
【請求項５１】
前記パケットを生成する前に、前記アクセス端末が前記遠隔アクセスポイントに関する非ＰＮ符号に基づくエアリンクアドレスを有するかどうかを決定することと、
前記遠隔アクセスポイントに関して非ＰＮ符号に基づくアドレスが利用可能でないときに前記ＰＮ符号アドレスを用いて前記パケットを生成すること、とをさらに具備する請求項４９に記載の方法。
【請求項５２】
前記アクセス端末が前記遠隔アクセスポイントに関する非ＰＮ符号に基づくエアリンクアドレスを有するかどうかを決定することは、前記アクセス端末がｉ）予め決められた予約されたアドレス、ｉｉ）前記遠隔アクセスポイントに向けられたパケットに関する前記第１のアクセスポイントへのエアリンクを通じての通信に関して用いるために前記アクセス端末によって前記第１のアクセスポイントに供給されたアドレス、及びｉｉｉ）エアリンクを通じて前記遠隔アクセスポイントに通信されたパケットに関して用いるためにネットワークによって供給されたアドレスのうちの１つを有するかどうかを検査して決定することを含む請求項５１に記載の方法。
【請求項５３】
前記遠隔デバイスに対応するＩＰアドレスと前記ＰＮ符号アドレスとの間においてマッピングする情報をＩＰアドレスへのエアリンク情報データベースに格納することをさらに具備する請求項５２に記載の方法。
【請求項５４】
前記受信された信号は、パイロット信号であり、
ＰＮ符号アドレスを生成することは、予め決められた機能を用いて、前記受信されたパイロット信号から決定されたパイロットＰＮ符号から前記ＰＮ符号アドレスを生成することを含む請求項４８に記載の方法。
【請求項５５】
前記予め決められた機能は、全パイロットＰＮ符号を前記遠隔デバイスの前記ＰＮ符号アドレスとして用いる請求項５４に記載の方法。
【請求項５６】
前記予め決められた機能は、パイロットＰＮ符号の一部分を前記遠隔デバイスの前記ＰＮ符号アドレスとして使用し、前記一部分は、前記全パイロットＰＮ符号よりも小さい請求項５４に記載の方法。
【請求項５７】
装置であって、
デバイスから信号を受信し、
前記受信された信号からＰＮ符号アドレスを生成し、
前記ＰＮ符号アドレスを含むパケットを生成するように構成されたプロセッサであって、前記パケットは、前記デバイスに向けられるプロセッサ、を具備する、装置。
【請求項５８】
前記プロセッサは、無線通信リンクを通じて第１のアクセスポイントに前記パケットを送信するようにさらに構成される請求項５７に記載の装置。
【請求項５９】
前記信号は、パイロット信号であり、
前記デバイスは、遠隔アクセスポイントであり、
前記第１のアクセスポイントは、通信リンクによって前記遠隔アクセスポイントに結合される請求項５７に記載の装置。
【請求項６０】
前記プロセッサは、前記パケットを生成する前に、前記装置を含むアクセス端末が前記遠隔アクセスポイントに関する非ＰＮ符号に基づくエアリンクアドレスを有するかどうかを決定し、
前記遠隔アクセスポイントに関して非ＰＮ符号に基づくアドレスが利用可能でないことが決定されたときに前記ＰＮ符号アドレスを用いて前記パケットを生成するようにさらに構成される請求項５９に記載の装置。
【請求項６１】
前記受信された信号は、パイロット信号であり、
前記アクセス端末プロセッサは、ＰＮ符号アドレスを生成する際に、
予め決められた機能を用いて、前記受信されたパイロット信号から決定されたパイロットＰＮ符号から前記ＰＮ符号アドレスを生成するようにさらに構成される請求項５８に記載の装置。
【請求項６２】
情報を通信するためにアクセス端末を動作させるための機械によって実行可能な命令を具体化したコンピュータによって読み取り可能な媒体であって、前記方法は、
デバイスから信号を受信することと、
前記受信された信号からＰＮ符号アドレスを生成することと、
前記ＰＮ符号アドレスを含むパケットを生成することであって、前記パケットは、前記デバイスに向けられること、とを含む、コンピュータによって読み取り可能な媒体。
【請求項６３】
無線通信リンクを通じて前記パケットを第１のアクセスポイントに送信するための機械によって実行可能な命令をさらに具体化した請求項６２に記載のコンピュータによって読み取り可能な媒体。
【請求項６４】
前記信号は、パイロット信号であり、
前記デバイスは、遠隔アクセスポイントであり、
前記第１のアクセスポイントは、通信リンクによって前記遠隔アクセスポイントに結合される請求項６２に記載のコンピュータによって読み取り可能な媒体。
【請求項６５】
前記パケットを生成する前に、前記アクセス端末が前記遠隔アクセスポイントに関する非ＰＮ符号に基づくエアリンクアドレスを有するかどうかを決定し、
前記遠隔アクセスポイントに関して非ＰＮ符号に基づくアドレスが利用可能でないことが決定されたときに前記ＰＮ符号アドレスを用いて前記パケットを生成するための機械によって実行可能な命令をさらに具体化した請求項６４に記載のコンピュータによって読み取り可能な媒体。
【請求項６６】
前記受信された信号は、パイロット信号であり、
ＰＮ符号アドレスを生成する際に、
予め決められた機能を用いて、前記受信されたパイロット信号から決定されたパイロットＰＮ符号から前記ＰＮ符号アドレスを生成するための機械によって実行可能な命令をさらに具体化した請求項６３に記載のコンピュータによって読み取り可能な媒体。
【請求項６７】
アクセスポイントを通じて遠隔デバイスから情報を受信するためにアクセス端末を動作させる方法であって、
前記遠隔デバイスに対応するＰＮ符号アドレスと前記遠隔デバイスからの情報とを含むパケットを前記アクセスポイントから受信することと、
前記情報を提供した前記遠隔デバイスを前記ＰＮ符号アドレス及び前記受信されたＰＮ符号アドレスをアクセスポイントに関連させる格納された情報から識別すること、とを具備する、方法。
【請求項６８】
前記遠隔デバイスを識別する前に、
前記遠隔デバイスからパイロット信号を受信することと、
前記受信されたパイロット信号からＰＮ符号アドレスを生成することと、
前記受信されたパイロット信号から生成された前記ＰＮ符号アドレスをＰＮ符号アドレスと長アドレスとの間におけるマッピングに関して用いられる情報のデータベースに格納すること、とをさらに具備する請求項６７に記載の方法。
【請求項６９】
ＰＮ符号アドレスを生成することは、
予め決められた機能を用いて、前記受信されたパイロット信号から決定されたパイロットＰＮ符号から前記ＰＮ符号アドレスを生成することを含む請求項６８に記載の方法。
【請求項７０】
前記予め決められた機能は、全パイロットＰＮ符号を前記遠隔デバイスの前記ＰＮ符号アドレスとして用いる請求項６９に記載の方法。    
【請求項７１】
前記予め決められた機能は、前記パイロットＰＮ符号の一部分を前記遠隔デバイスの前記ＰＮ符号アドレスとして使用し、前記一部分は、前記全パイロットＰＮ符号よりも小さい請求項７０に記載の方法。
【請求項７２】
前記ＰＮ符号アドレスを情報のデータベースに格納することは、前記パイロット符号アドレスを前記遠隔デバイスに対応する長アドレスとともに格納することを含む請求項６８に記載の方法。
【請求項７３】
前記長アドレスは、前記遠隔デバイスに対応するＩＰアドレスである請求項７２に記載の方法。
【請求項７４】
前記遠隔デバイスは、遠隔アクセスポイントであり、
前記遠隔アクセスポイントは、以前は前記アクセス端末のアクティブネットワークアタッチメントポイントとして交信し、
前記アクセスポイントは、前記アクセス端末の現在のアクティブネットワークアタッチメントポイントとして交信する請求項７０に記載の方法。
【請求項７５】
装置であって、
遠隔デバイスに対応するＰＮ符号アドレスと前記遠隔デバイスからの情報とを含むパケットをアクセスポイントから受信し、
前記情報を提供した前記遠隔デバイスを前記ＰＮ符号アドレス及び前記受信されたＰＮ符号アドレスをアクセスポイントと関連させる格納された情報から識別するように構成されたプロセッサ、を具備する、装置。
【請求項７６】
前記プロセッサは、
前記遠隔デバイスを識別する前に、
前記遠隔デバイスからパイロット信号を受信し、
前記受信されたパイロット信号からＰＮ符号アドレスを生成し、
前記受信されたパイロット信号から生成された前記ＰＮ符号アドレスをＰＮ符号アドレスと長アドレスとの間におけるマッピングに関して用いられる情報のデータベースに格納するようにさらに構成される請求項７５に記載の装置。
【請求項７７】
前記プロセッサは、ＰＮ符号アドレスを生成する際に、
予め決められた機能を用いて、前記受信されたパイロット信号から決定されたパイロットＰＮ符号から前記ＰＮ符号アドレスを生成するようにさらに構成される請求項７６に記載の装置。
【請求項７８】
前記予め決められた機能は、前記全パイロットＰＮ符号を前記遠隔デバイスの前記ＰＮ符号アドレスとして用いる請求項７７に記載の装置。
【請求項７９】
前記プロセッサは、前記ＰＮ符号アドレスを情報のデータベースに格納する際に、
前記パイロット符号アドレスを前記遠隔デバイスに対応する長アドレスとともに格納するようにさらに構成される請求項７６に記載の装置。
【請求項８０】
アクセスポイントを通じて遠隔デバイスから情報を受信するためにアクセス端末を動作させるための機械によって実行可能な命令を具体化したコンピュータによって読み取り可能な媒体であって、前記方法は、
前記遠隔デバイスに対応するＰＮ符号アドレスと前記遠隔デバイスからの情報とを含むパケットを前記アクセスポイントから受信することと、
前記情報を提供した前記遠隔デバイスを前記ＰＮ符号アドレス及び前記受信されたＰＮ符号アドレスをアクセスポイントに関連させる格納された情報から識別すること、とを具備する、コンピュータによって読み取り可能な媒体。
【請求項８１】
前記遠隔デバイスを識別する前に、    
前記遠隔デバイスからパイロット信号を受信し、
前記受信されたパイロット信号からＰＮ符号アドレスを生成し、
前記受信されたパイロット信号から生成された前記ＰＮ符号アドレスをＰＮ符号アドレスと長アドレスとの間におけるマッピングに関して用いられる情報のデータベースに格納するための機械によって実行可能な命令をさらに具体化した請求項８０に記載の方法。
【請求項８２】
ＰＮ符号アドレスを生成する際に、
予め決められた機能を用いて、前記受信されたパイロット信号から決定されたパイロットＰＮ符号から前記ＰＮ符号アドレスを生成するための機械によって実行可能な命令をさらに具体化した請求項８１に記載の方法。
【請求項８３】
前記予め決められた機能は、前記全パイロットＰＮ符号を前記遠隔デバイスの前記ＰＮ符号アドレスとして用いる請求項８２に記載の方法。
【請求項８４】
前記ＰＮ符号アドレスを情報のデータベースに格納する際に、
前記パイロット符号アドレスを前記遠隔デバイスに対応する長アドレスとともに格納するための機械によって実行可能な命令をさらに具体化した請求項８１に記載の方法。
【請求項８５】
アクセスポイントを通じて遠隔デバイスに情報を通信するためのアクセス端末であって、
前記遠隔デバイスに対応するＰＮ符号アドレスと前記遠隔デバイスに通信されるべき情報とを含むパケットを生成するためのパケット生成モジュールと、
前記生成されたパケットをオーバー・ザ・エアで前記アクセスポイントに送信するための無線送信機と、を具備する、アクセス端末。
【請求項８６】
パイロット信号からＰＮ符号アドレスを決定するためのＰＮ符号アドレス決定モジュールであって、前記ＰＮ符号アドレスは、受信された前記パイロット信号を送信したアクセスポイントに対応する請求項８５に記載のアクセス端末。
【請求項８７】
前記アクセス端末によって受信されたパイロット信号から決定されたＰＮ符号アドレスを格納するための情報を含むデータベースをさらに具備する請求項８６に記載のアクセス端末。
【請求項８８】
前記格納されたＰＮ符号アドレスは、前記ＰＮ符号アドレスが決定された前記パイロット信号の前記ＰＮ符号である請求項８７に記載のアクセス端末。
【請求項８９】
前記格納されたＰＮ符号アドレスは、前記ＰＮ符号アドレスが予め決められた機能に従って決定された前記パイロット信号の前記ＰＮ符号から導き出される請求項８８に記載のアクセス端末。
【請求項９０】
前記受信されたパケットに含まれる情報のソースを識別するＰＮ符号アドレスを含むオーバー・ザ・エアで前記アクセス端末に通信されたパケットを受信するための無線受信機をさらに具備する請求項８６に記載のアクセス端末。
【請求項９１】
受信されているパイロット信号を送信した複数のアクセスポイントのうちのいずれの１つが前記受信されたパケットに含まれる前記情報のソースであったかを前記ＰＮ符号アドレスから識別するためのアクセスポイント識別モジュールをさらに具備する請求項９０に記載のアクセス端末。
【請求項９２】
アクセスポイントを通じて遠隔デバイスに情報を通信するためのアクセス端末であって、
前記遠隔デバイスに対応するＰＮ符号アドレスと前記遠隔デバイスに通信されるべき情報とを含むパケットを生成するためのパケット生成手段と、
前記生成されたパケットをオーバー・ザ・エアで前記アクセスポイントに送信するための手段と、を具備する、アクセス端末。
【請求項９３】
パイロット信号からＰＮ符号アドレスを決定するための手段であって、前記ＰＮ符号アドレスは、受信された前記パイロット信号を送信したアクセスポイントに対応する手段、をさらに具備する請求項９２に記載のアクセス端末。
【請求項９４】
前記アクセス端末によって受信されたパイロット信号から決定されたＰＮ符号アドレスを格納するためのデータベース手段をさらに具備する請求項９３に記載のアクセス端末。
【請求項９５】
前記格納されたＰＮ符号アドレスは、前記ＰＮ符号アドレスが決定された前記パイロット信号の前記ＰＮ符号である請求項９４に記載のアクセス端末。
【請求項９６】
前記受信されたパケットに含まれる情報のソースを識別するＰＮ符号アドレスを含む前記アクセス端末にオーバー・ザ・エアで通信されたパケットを受信するための手段をさらに具備する請求項９３に記載のアクセス端末。
【発明の詳細な説明】
【技術分野】
【０００１】
関連出願
本特許出願は、各々が本明細書において参照されることによって明示で本明細書に組み入れられており、 “A METHOD AND APPARATUS FOR L2TP TUNNELING”（Ｌ２ＴＰトンネリングに関する方法及び装置）という題名を有する米国仮特許出願一連番号６０／８１２，０１１（出願日：２００６年６月７日）の利益及び“A METHOD AND APPARATUS FOR ADDRESSING MULTIPLE ACCESS POINTS”（複数のアクセスポイントをアドレッシングするための方法及び装置）という題名を有する米国仮特許出願一連番号６０／８１２，０１２（出願日：２００６年６月７日）の利益を主張するものである。
【０００２】
本発明は、通信に関する方法及び装置を対象とするものである。本発明は、特に、パケットのルーティングに関連する方法及び装置を対象とするものである。
【背景技術】
【０００３】
無線通信システムは、アクセス端末、例えばモバイルまたはその他のエンドノードデバイスに加えて、複数のアクセスポイント（ＡＰ）及び／又はその他のネットワーク要素をしばしば含む。多くの場合においては、アクセス端末は、通常は無線通信リンクを介してアクセスポイントと通信し、ネットワーク内のその他の要素、例えばＡＰ、は、一般的には非エアリンク、例えばファイバー、ケーブルまたはワイヤリンク、を介して通信する。エアリンクの場合は、帯域幅が貴重な制限された資源である。従って、エアリンクを通じての通信は、過度のオーバーヘッドなしで効率的な形で行われることが望ましい。
【０００４】
アクセスポイント間及び／又はその他のネットワークデバイスとの間における通信リンクは、帯域幅の観点からは、アクセス端末とアクセスポイントとの間のエアリンクよりも制限度が低いことがしばしばある。従って、エアリンクを通じてよりもバックホールリンクを通じてのほうがアドレス長及び／又はその他の情報に関してより多くのオーバーヘッドを受け入れ可能である。
【０００５】
ＩＰアドレスは長年にわたってネットワークにおいて成功裏に用いられてきている一方で、非常に多くのビット数を含む傾向がある。エアリンクを通じての通信に関しては、エアリンクを通じてより短いアドレスを用いることが可能であることが望ましい。しかしながら、エアリンクを通じて用いられるアドレスの変更がその他のリンク、例えばバックホールリンク、を通じてのＩＰアドレスの使用を妨げないことが望ましい。
【発明の概要】
【０００６】
アクセス端末（ＡＴ）とアクセスポイント（ＡＰ）との間における通信に関する方法及び装置が説明される。ＡＰとＡＴとの間におけるエアリンクを通じての通信に関しては、パイロットＰＮ符号に基づくアドレスがＡＰ識別子、例えばアドレス、として用いられる。前記パイロットＰＮ符号は、異なるアクセスポイントまたはセクターによって送信されたパイロットチャネル又はパイロットチャネル（複数）を区別するために用いられるパイロット識別子である。パイロットチャネルが疑似ランダム雑音（ＰＮ）型の生成方式を用いるときには、この識別子は、典型的にはパイロットＰＮと呼ばれる。本特許出願において、用語“ＰＮ符号”は、一般的パイロット識別子を指し、ＰＮ符号アドレスは、ＰＮ符号に基づくアドレスを指す。
【０００７】
その他のパイロット生成例は、ゴールドシーケンス、ビーコンに基づくパイロット、等を含み、該場合においては、ＰＮ符号アドレスは、使用中のパイロットの型によって通信される識別子に基づくアドレスを指す。
【０００８】
ＰＮ符号に基づくアドレスは、ＡＰから受信されたパイロットＰＮ符号に基づく信号に基づくことができる。従って、ＰＮに基づくＡＰアドレスは、ＡＰから受信されたパイロット信号から決定することができる。ＰＮに基づくＡＰアドレスは、ＡＰに対応するＰＮ符号の短縮版、ＡＰに対応する全ＰＮ符号、又はＡＰに対応するＰＮ符号から既知の方法で導き出すことができる値であることができる。ＰＮ符号に基づく値をＡＰに関するアドレスとして用いることによって、ＡＴは、ＡＰに対応するＩＰアドレスを用いる必要なしにエアリンク通信における前記ＡＰを識別することができる。さらに、ＰＮに基づくアドレッシングは、ＡＴが簡単に入手可能な情報を用いるという利点を有し、その理由、この情報は、通常はその他の理由でＡＴに送信された信号から入手するか又は導き出すことができるためである。従って、ＡＴは、ＩＰアドレス発見プロセス又はその他のアドレッシング更新プロセスを経ることなしにＡＴがアクティブな接続を有する交信ＡＰにまでローカル又は遠隔ＡＰを特定することができる。さらに、エアリンクを通じての通信のために使用中のＰＮ符号に基づく識別子は、ＡＰの全ＩＰアドレスよりも短くすることができるため、前記エアリンクの効率的な使用を達成させることができる。
【０００９】
ＡＰを識別するために用いられるＰＮ符号に基づくアドレスは、ダウンリンク送信のために交信ＡＰによって及び／又はアップリンク送信のためにＡＴによって用いることができる。ダウンリンク送信の場合は、交信ＡＰは、送信中のデバイスに対応するＰＮ符号に基づくアドレスを含めることによって、送信中のペイロードのソース、例えば遠隔ＡＰ又はローカルの交信ＡＰ、を示す。例えば、遠隔ＡＰに対応するパケットペイロードがレイヤ２トンネルを介して交信ＡＰに通信されるときには、交信ＡＰは、前記遠隔ＡＰを前記遠隔ＡＰのＩＰアドレスから識別するために用いられるＰＮ符号に基づくアドレスを決定する。この決定は、交信ＡＰによって維持されていてＩＰデバイスアドレス情報と対応するＰＮ符号識別子情報とを含むルックアップテーブルを用いて行うことができる。前記ルックアップテーブルは、交信ＡＰがデバイスＩＰとＰＮ符号アドレスとの間においてマッピングするのを可能にし、それによって前記ＰＮ符号識別子からＩＰアドレスを決定すること又はＩＰアドレスから前記ＰＮ符号識別子を決定することを可能する。幾つかの実施形態においては、エアリンクを通じて用いられる実際のＰＮ符号アドレスは、前記ルックアップテーブル内に格納される。しかしながら、格納されたＰＮ符号情報は、値、例えばＡＰのＰＮ符号、であることができ、前記値から、既知の方法で、例えば打ち切りによって及び／又は予め決められた公式を用いることを通じてエアリンク通信に関するＰＮ符号アドレスを導き出すことができる。幾つかの実施形態においては、前記ルックアップテーブルは、様々なネットワークデバイスを接続するバックホール通信リンクを介して送信されたアドレス及びＰＮ符号情報に基づいて維持することができ、前記情報は、更新情報、初期ＡＰデバイス構成情報をルーティングする一部として及び／又はその他の技術を通じて送信することができる。例えば、幾つかの実施形態においては、ＡＰは、最初に、近隣の、例えば物理的に隣接する、ＡＰによって用いられるＰＮ符号に関する情報及びその対応するＩＰアドレスが提供される。
【００１０】
アップリンク信号の場合は、ＡＴは、前記ＰＮ符号に基づくアドレスを用いて、送信ペイロード、例えばＭＡＣ（メディアアクセス制御）パケットのペイロード、の通信先である行先デバイスを識別する。前記ＰＮ符号アドレスによって識別された前記行先デバイスは、前記パケットがエアリンクを通じて通信される先である遠隔ＡＰ又は現在交信中のＡＰであることができる。前記交信ＡＰは、ＡＴからパケットを受信し次第、前記パケットが遠隔ＡＰに対応するかどうかを決定し、対応する場合は、幾つかの実施形態においては、エアリンクを通じて受信された前記ＰＮ符号識別子から、前記行先ＡＰの対応する長い、例えばＩＰ（インターネットプロトコル）アドレスを決定する。前記受信されたパケットペイロードは、決定されたＩＰアドレスを送信中の前記パケットの行先アドレスとして用いて前記行先ＡＰに転送される。前記パケットは、前記遠隔ＡＰと前記交信ＡＰとの間においてパケットを通信するために用いられるレイヤ２トンネルを介して前記決定されたＩＰアドレスによって識別された前記行先ＡＰに通信することができ、様々な実施形態においては通信される。
【００１１】
この方法により、ＡＴは、長アドレス、例えば行先デバイスの全ＩＰアドレス、が交信ＡＰとＡＴとの間におけるエアリンクを通じての通信に関して用いられる場合に要求されることになるよりも少ない数のビットを用いて前記行先デバイスを識別することによってエアリンクを通じて通信することができる。
【００１２】
アクセス端末に情報を通信する典型的方法は、パケットを生成することであって、前記パケットは、アクセスポイントを識別するＰＮ符号アドレスと前記アクセス端末に通信されるべき情報とを含むことと、前記生成されたパケットをエアリンクを通じて前記アクセス端末に送信すること、とを具備する。遠隔アクセスポイントに情報を通信するためにアクセスポイントを動作させる典型的方法は、アクセス端末からパケットを受信することであって、前記パケットは、ＰＮ符号アドレスと遠隔デバイスに通信されるべき情報とを含むことと、前記遠隔デバイスにパケットを通信するために用いるために前記ＰＮ符号アドレスに対応する長アドレスを決定することであって、前記長アドレスは、前記ＰＮ符号アドレスよりも多いビットを含むことと、通信されるべき前記情報を前記長アドレスとともに前記遠隔デバイスに送信すること、とを具備する。アクセス端末に情報を通信するための典型的アクセスポイントは、ネットワーク接続を介して遠隔デバイスからパケットを受信するためのネットワークインタフェースであって、前記パケットは、長アドレスと通信されるべき情報とを含むネットワークインタフェースと、前記長アドレスに対応するＰＮ符号アドレスを決定するための長アドレスからＰＮ符号アドレスへのマッピングモジュールであって、前記ＰＮ符号アドレスは、無線通信リンクを通じて用いられ、前記ＰＮ符号アドレスは、前記長アドレスよりも少ないビットを含む長アドレスからＰＮ符号アドレスへのマッピングモジュールと、前記ＰＮ符号アドレスと通信されるべき前記情報とを含むパケットを生成するためのダウンリンクパケット生成モジュールと、前記無線通信リンクを通じてダウンリンクパケットを送信するための無線送信機と、を具備する。
【００１３】
情報を通信するためにアクセス端末を動作させる典型的方法は、デバイスから信号を受信することと、前記受信された信号からＰＮ符号アドレスを生成することと、前記ＰＮ符号アドレスを含むパケットを生成することであって、前記パケットは前記データに向けられること、とを具備する。アクセスポイントを通じて遠隔デバイスから情報を受信するためにアクセス端末を動作させる典型的方法は、前記遠隔デバイスに対応するＰＮ符号アドレスと前記遠隔デバイスからの情報とを含むパケットを前記アクセスポイントから受信することと、前記情報を提供した前記遠隔デバイスを前記ＰＮ符号アドレス及び前記受信されたＰＮ符号アドレスをアクセスポイントに関連づける格納された情報から識別すること、とを具備する。アクセスポイントを通じて遠隔デバイスに情報を通信するための典型的アクセス端末は、前記遠隔デバイスに対応するＰＮ符号アドレスと前記遠隔デバイスに通信されるべき情報とを含むパケットを生成するためのパケット生成モジュールと、前記生成されたパケットをオーバー・ザ・エアで前記アクセスポイントに送信するための無線送信機と、を具備する。
【００１４】
上記の発明の概要においては様々な実施形態が説明されている一方で、必ずしもすべての実施形態が同じ特長を含むわけではないこと及び上述される特長の一部は必須ではないが幾つかの実施形態においては望ましい可能性があることが理解されるべきである。数多くの追加の特長、実施形態及び利益が以下の発明を実施するための最良の形態において説明される。
【図面の簡単な説明】
【００１５】
【図１】一実施形態による多元接続無線通信システムを示した図である。
【図２】典型的通信システムのブロック図である。
【図３】分散型アクセスネットワーク（ＡＮ）アーキテクチャとアクセス端末（ＡＴ）とを含む典型的ネットワークを示した図である。
【図４】中央集中型ＡＮアーキテクチャとＡＴとを含む典型的ネットワークを示した図である。
【図５】様々な実施形態によるアクセス端末に情報を通信するためにアクセスポイントを動作させる典型的方法の流れ図である。
【図６】遠隔アクセスポイントと通信するためにアクセスポイントを動作させる典型的方法の流れ図である。
【図７】様々な実施形態による典型的アクセスポイントの図である。
【図８】様々な実施形態による情報を通信するためにアクセス端末を動作させる典型的方法の流れ図である。
【図９】アクセスポイントを通じて遠隔デバイスから情報を受信するためにアクセス端末を動作させる典型的方法の流れ図である。
【図１０】様々な実施形態による典型的アクセス端末の図である。
【発明を実施するための形態】
【００１６】
様々な型の通信コンテンツ、例えば音声、データ、等、を提供することを目的として無線通信システムが幅広く展開されている。これらのシステムは、利用可能なシステム資源（例えば、帯域幅及び送信電力）を共有することによって複数のユーザーとの通信をサポートすることができる多元接続システムであることができる。該多元接続システムの例は、World Interoperability for Microwave Access(ＷｉＭＡＸ)（マイクロ波アクセスに関する世界的相互運用性）と、赤外線データ協会（ＩｒＤＡ）等の赤外線プロトコルと、短距離無線プロトコル／技術と、Ｂｌｕｅｔｏｏｔｈ（登録商標）技術と、ＺｉｇＢｅｅ（登録商標）プロトコルと、超広帯域（ＵＷＢ）プロトコルと、ホーム無線周波数（ＨｏｍｅＲＦ）と、共有無線アクセスプロトコル（ＳＷＡＰ）と、ワイヤレス・イーサネット（登録商標）・コンパチビリティ・アライアンス（ＷＥＣＡ）等の広帯域技術と、ワイヤレス・フィデリティ・アライアンス（Ｗｉ−Ｆｉアライアンス）と、８０２．１１ネットワーク技術と、公衆交換電話網技術と、インターネット等の公共異質通信ネットワーク技術と、プライベート・ワイヤレス通信ネットワークと、陸上移動無線ネットワークと、符号分割多元接続（ＣＤＭＡ）と、広帯域符号分割多元接続（ＷＣＤＭＡ）と、世界移動体通信システム（ＵＭＴＳ）と、高度携帯電話サービス（ＡＭＰＳ）と、時分割多元接続（ＴＤＭＡ）と、周波数分割多元接続（ＦＤＭＡ）と、直交周波数分割多元接続（ＯＦＤＭＡ）と、グローバル移動体通信システム（ＧＳＭ）と、単搬送波（１Ｘ）無線送信技術（ＲＴＴ）と、エボリューションデータ専用（ＥＶ−ＤＯ）技術と、一般的パケット無線サービス（ＧＰＲＳ）と、エンハンストデータＧＳＭ環境（ＥＤＧＥ）と、高速ダウンリンクデータパケットアクセス（ＨＳＰＤＡ）と、アナログ及びデジタル衛星システムと、無線通信ネットワーク及びデータ通信ネットワークのうちの少なくとも１つにおいて用いることができるその他の技術／プロトコルと、を含む。
【００１７】
一般的には、無線多元接続通信システムは、複数の無線端末に関する通信を同時にサポートすることができる。各端末は、順方向リンク及び逆方向リンクでの送信を介して１つ以上の基地局と通信する。順方向リンク（又はダウンリンク）は、基地局から端末への通信を意味し、逆方向リンク（又はアップリンク）は、端末から基地局への通信リンクを意味する。この通信リンクは、単入力単出力、多入力信号（ｓｉｇｎａｌ）出力又は多入力多出力（ＭＩＭＯ）システムを介して確立することができる。
【００１８】
図１に関して、一実施形態による多元接続無線通信システムが示される。アクセスポイント１００（ＡＰ）は、複数のアンテナグループを含み、１つのアンテナグループは、１０４と１０６とを含み、他のアンテナグループは、１０８と１１０とを含み、さらなるアンテナグループは、１１２と１１４とを含む。図１においては、各々のアンテナグループに関して２つのアンテナのみが示されるが、これよりも多い又は少ないアンテナを各アンテナグループに関して利用することができる。アクセス端末１１６（ＡＴ）は、アンテナ１１２及び１１４と通信状態にあり、アンテナ１１２及び１１４は、順方向リンク１２０を通じてアクセス端末１１６に情報を送信し、逆方向リンク１１８を通じてアクセス端末１１６から情報を受信する。アクセス端末１２２は、アンテナ１０６及び１０８と通信状態にあり、アンテナ１０６及び１０８は、順方向リンク１２６を通じてアクセス端末１２２に情報を送信し、逆方向リンク１２４を通じてアクセス端末１２２から情報を受信する。ＦＤＤシステムにおいては、通信リンク１１８、１２０、１２４及び１２６は、通信に関して異なる周波数を用いることができる。例えば、順方向リンク１２０は、逆方向リンク１１８によって用いられる周波数とは異なる周波数を用いることができる。
【００１９】
各アンテナグループ及び／又はこれらのアンテナグループが通信するように設計されている地域は、アクセスポイントのセクターとしばしば呼ばれる。実施形態においては、アンテナグループは、各々が、アクセスポイント１００によって網羅された地域のセクター内のアクセス端末に通信するように設計される。
【００２０】
順方向リンク１２０及び１２６を通じての通信において、アクセスポイント１００の送信アンテナは、異なるアクセス端末１１６及び１２２に関する順方向リンクの信号対雑音比を向上させるためにビーム形成を利用する。さらに、カバレッジ全体に無作為に散在するアクセス端末に送信するためにビーム形成を用いるアクセスポイントは、近隣セル内のアクセス端末に対して、単一のアンテナを通じて自己のすべてのアクセス端末に送信するアクセスポイントよりも小さい干渉を生じさせる。
【００２１】
アクセスポイントは、端末と通信するために用いられる固定局であることができ、アクセスノード、ノードＢ、基地局又はその他の何らかの用語で呼ばれることもある。アクセス端末は、アクセスデバイス、ユーザー装置（ＵＥ）、無線通信デバイス、端末、無線端末、モバイル端末、モバイルノード、エンドノード又はその他の何らかの用語で呼ばれることもある。
【００２２】
図２は、ＭＩＭＯシステム２００内の典型的アクセスポイント２１０及び典型的アクセス端末２５０の実施形態のブロック図である。アクセスポイント２１０において、幾つかのデータストリームに関するトラフィックデータが、データソース２１２から送信（ＴＸ）データプロセッサ２１４に提供される。
【００２３】
一実施形態においては、各データストリームは、各々の送信アンテナを通じて送信される。ＴＸデータプロセッサ２１４は、コーディングされたデータを提供するために各々のデータストリームに関して選択された特定のコーディング方式に基づいてそのデータストリームに関するトラフィックデータをフォーマット化、コーディング、及びインターリービングする。
【００２４】
各データストリームに関するコーディングされたデータは、ＯＦＤＭ技術を用いてパイロットデータと多重化することができる。パイロットデータは、典型的には、既知の方法で処理される既知のデータパターンであり、受信機システムにおいてチャネル応答を推定するために用いることができる。各データストリームに関する多重化されたパイロットデータ及びコーディングされたデータは、変調シンボルを提供するためにそのデータストリームに関して選択された特定の変調方式（例えば、ＢＰＳＫ、ＱＳＰＫ、Ｍ−ＰＳＫ、又はＭ−ＱＡＭ）に基づいて変調される（すなわち、シンボルマッピングされる）。各データストリームに関するデータレート、コーディング、及び変調は、プロセッサ２３０によって実行される命令によって決定することができる。
【００２５】
次に、データストリームの各々に関する変調シンボルが、ＴＸ  ＭＩＭＯプロセッサ２２０に提供され、ＴＸ  ＭＩＭＯプロセッサ２２０は、変調シンボルを（例えばＯＦＤＭ）に関してさらに処理することができる。次に、ＴＸ  ＭＩＭＯプロセッサ２２０は、ＮＴの変調シンボルストリームをＮＴの送信機（ＴＭＴＲ）２２２ａ乃至２２２ｔに提供する。一定の実施形態においては、ＴＸ  ＭＩＭＯプロセッサ２２０は、データストリームのシンボル及びシンボルが送信されているアンテナにビーム形成重みを適用する。
【００２６】
各送信機（２２２ａ、．．．、２２２ｔ）は、各々のシンボルストリームを処理して１つ以上のアナログ信号を提供し、前記アナログ信号をさらにコンディショニング（例えば、増幅、フィルタリング、及びアップコンバージョン）し、ＭＩＭＯチャネルを通じての送信に適する変調された信号を提供する。次に、送信機２２２ａ乃至２２２ｔからのＮＴの変調された信号がＮＴのアンテナ２２４ａ乃至２２４ｔからそれぞれ送信される。
【００２７】
アクセス端末２５０において、送信された変調された信号は、ＮＲのアンテナ２５２ａ乃至２５２ｒによって受信され、各アンテナ２５２からの受信された信号は、各々の受信機（ＲＣＶＲ）２５４ａ乃至２５４ｒに提供される。各受信機（２５４ａ、．．．、２５４ｒ）は、各々の受信された信号をコンディショニング（例えば、フィルタリング、増幅、及びダウンコンバージョン）し、コンディショニングされた信号をデジタル化してサンプルを提供し、前記サンプルをさらに処理して対応する“受信された”シンボルストリームを提供する。
【００２８】
次に、ＲＸデータプロセッサ２６０は、ＮＲの受信されたシンボルストリームをＮＲ受信機（２５４ａ、．．．、２５４ｒ）から受け取り、特定の受信機処理に基づいて処理してＮＴの“検出された”シンボルストリームを提供する。次に、ＲＸデータプロセッサ２６０は、各々の検出されたシンボルストリームを復調、デインターリービング、及び復号してデータストリームに関するトラフィックデータを復元する。ＲＸデータプロセッサ２６０による処理は、送信機システム２１０においてＴＸ  ＭＩＭＯプロセッサ２２０及びＴＸデータプロセッサ２１４によって行われる処理を補完するものである。
【００２９】
プロセッサ２７０は、いずれのプリコーディングマトリックスを用いるべきかを定期的に決定する（後述）。プロセッサ２７０は、マトリックスインデックス部分とランク値部分とを具備する逆方向リンクメッセージを形式化する。
【００３０】
逆方向リンクメッセージは、通信リンク及び／又は受信されたデータストリームに関する様々な型の情報を具備することができる。逆方向リンクメッセージは、データソース２３６からの幾つかのデータストリームに関するトラフィックデータも受信するＴＸデータプロセッサ２３８によって処理され、変調器２８０によって変調され、送信機２５４ａ乃至２５４ｒによってコンディショニングされ、アンテナ（２５２ａ、２５２ｒ）をそれぞれ介して送信されてアクセスポイント２１０に戻される。
【００３１】
アクセスポイント２１０において、アクセス端末２５０からの変調された信号は、アンテナ２２４によって受信され、受信機２２２によってコンディショニングされ、復調器２４０によって復調され、ＲＸデータプロセッサ２４２によって処理されて、受信機システム２５０によって送信された逆方向リンクメッセージが検出される。次に、プロセッサ２３０は、ビーム形成重みを決定するためにいずれのプリコーディングマトリックスを用いるかを決定し、抽出されたメッセージを処理する。
【００３２】
メモリ２３２は、ルーチンと、データ／情報と、を含む。プロセッサ２３０、２２０及び／又は２４２は、アクセスポイント２１０の動作を制御するため及び方法を実装するためにメモリ２３２内のルーチンを実行し、データ／情報を用いる。プロセッサ２７０、２６０及び／又は２３８は、アクセス端末２５０の動作を制御するため及び方法を実装するためにメモリ２７２内のルーチンを実行し、データ／情報を用いる。
【００３３】
一側面においては、ＳｉｍｐｌｅＲＡＮは、高速で変化し続ける無線状態において低レーテンシーアプリケーション、例えばＶＯＩＰ、の要求を受け入れるための高速ハンドオフを提供する一方で、ワイヤレスラジオアクセスネットワーク内のバックホールアクセスネットワーク要素間における通信プロトコルを大幅に単純化するように設計される。
【００３４】
一側面においては、ネットワークは、アクセス端末（ＡＴ）と、アクセスネットワーク（ＡＮ）と、を具備する。
【００３５】
ＡＮは、中央集中型及び分散型の展開の両方をサポートする。中央集中型および分散型の展開に関するネットワークアーキテクチャが図３及び図４にそれぞれ示される。
【００３６】
図３は、分散型ＡＮ３０２とＡＴ３０３とを含む典型的ネットワーク３００を示す。
【００３７】
図３に示される分散型アーキテクチャにおいては、ＡＮ３０２は、アクセスポイント（ＡＰ）と、ホームエージェント（ＨＡ）と、を具備する。ＡＮ３０２は、複数のアクセスポイント（ＡＰａ ３０４、ＡＰｂ ３０６、ＡＰｃ  ３０８）と、ホームエージェント３１０と、を含む。さらに、ＡＮ  ３０２は、ＩＰクラウド３１２を含む。ＡＰ（３０４、３０６、３０８）は、リンク（３１４、３１６、３１８）を介してＩＰクラウドに結合される。ＩＰクラウド３１２は、リンク３２０を介してＨＡ３１０に結合される。
【００３８】
ＡＰは、下記を含む。
【００３９】
ネットワーク機能（ＮＦ）
○ＡＰ当たり１つであり、複数のＮＦが単一のＡＴにサービスを提供することができる。
【００４０】
○単一のＮＦは、各ＡＴに関するＩＰ層アタッチメントポイント（ＩＡＰ）であり、すなわち、ＨＡがＡＴに送信されたパケットを転送するＮＦである。
【００４１】
○ＩＡＰは、ＡＴへのバックホールを通じてのパケットのルーティングを最適化するために変わることができる（Ｌ３ハンドオフ）。
【００４２】
○ＩＡＰは、ＡＴに関するセッションマスターの機能も実行する。（幾つかの実施形態においては、セッションマスターのみがセッション構成を実施するか又はセッション状態を変更することができる。）
○ＮＦは、ＡＰ内の各々のＴＦに関するコントローラとして行動し、ＴＦにおけるＡＴに関する機能、例えば、資源の割り当て、管理及びテアダウン等を実行する。
【００４３】
トランシーバ機能（ＴＦ）又はセクター
○ＡＰ当たり複数のＴＦであり、複数のＴＦが単一のＡＴにサービスを提供することができる。
【００４４】
○ＡＴに関するエアインタフェースアタッチメントを提供する。
【００４５】
○順方向リンク及び逆方向リンクに関して異なることができる。
【００４６】
○無線状態に基づいて変わる（Ｌ２ハンドオフ）
ＡＮ  ３０２において、ＡＰａ  ３０４は、ＮＦ  ３２４と、ＴＦ  ３２６と、ＴＦ  ３２８と、を含む。ＡＮ  ３０２において、ＡＰｂ  ３０６は、ＮＦ  ３３０と、ＮＦ  ３３２と、ＴＦ  ３３４と、を含む。ＡＮ  ３０２において、ＡＰｃ  ３０８は、ＮＦ  ３３６と、ＴＦ  ３３８と、ＴＦ  ３４０と、を含む。
【００４７】
ＡＴは、下記を含む。
【００４８】
アクティブセット内の各ＮＦに関してモバイルノード（ＭＮ）に提示されたインタフェースＩ＿ｘ
アクセス端末においてＩＰ層移動性をサポートするためのモバイルノード（ＭＮ）
ＡＰは、ＩＰを通じて定義されたトンネリングプロトコルを用いて通信する。トンネルは、データプレーンに関してはＩＰ−ｉｎ−ＩＰトンネルであり、制御プレーンに関してはＬ２ＴＰトンネルである。
【００４９】
典型的ＡＴ ３０３は、複数のインタフェース（Ｉ＿ａ ３４２、Ｉ＿ｂ ３４４、Ｉ＿ｃ ３４６）と、ＭＮ  ３４８と、を含む。ＡＴ ３０３は、無線リンク３５０を介してＡＰ＿ａ  ３０４に結合することができ、時々結合される。ＡＴ ３０３は、無線リンク３５２を介してＡＰ＿ｂ ３０６に結合することができ、時々結合される。ＡＴ ３０３は、無線リンク３５４を介してＡＰ＿ｃ ３０８に結合することができ、時々結合される。
【００５０】
図４は、分散型ＡＮ ４０２とＡＴ ４０３とを含む典型的ネットワーク４００を示す。
【００５１】
図４に示される中央集中型アーキテクチャにおいては、ＮＦは、もはや単一のＴＦと論理的に関連づけられておらず、このため、ＡＮは、ネットワーク機能と、アクセスポイントと、ホームエージェントと、を具備する。典型的ＡＮ  ４０２は、複数のＮＦ（４０４、４０６、４０８）と、複数のＡＰ（ＡＰ＿ａ ４１０、ＡＰ＿ｂ ４１２、ＡＰ＿ｃ ４１４）と、ＨＡ ４１６と、ＩＰクラウド４１８と、を含む。ＮＦ ４０４は、リンク４２０を介してＩＰクラウド４１８に結合される。ＮＦ ４０６は、リンク４２２を介してＩＰクラウド４１８に結合される。ＮＦ ４０８は、リンク４２４を介してＩＰクラウド４１８に結合される。ＩＰクラウド４１８は、リンク４２６を介してＨＡ ４１６に結合される。ＮＦ ４０４は、リンク（４２８、４３０、４３２）を介して（ＡＰ＿ａ ４１０、ＡＰ＿ｂ ４１２、ＡＰ＿ｃ ４１４）にそれぞれ結合される。ＮＦ ４０６は、リンク（４３４、４３６、４３８）を介して（ＡＰ＿ａ ４１０、ＡＰ＿ｂ ４１２、ＡＰ＿ｃ ４１４）にそれぞれ結合される。ＮＦ ４０８は、リンク（４４０、４４２、４４４）を介して（ＡＰ＿ａ ４１０、ＡＰ＿ｂ ４１２、ＡＰ＿ｃ ４１４）にそれぞれ結合される。
【００５２】
ＡＰ＿ａ ４１０は、ＴＦ ４６２と、ＴＦ ４６４と、を含む。ＡＰ＿ｂ４１２は、ＴＦ ４６６と、ＴＦ ４６８と、を含む。ＡＰ＿ｃ ４１４は、ＴＦ ４７０と、ＴＦ ４７２と、を含む。
【００５３】
ＮＦはＴＦに関するコントローラとして働き、さらに多くのＮＦを単一のＴＦと論理的に関連づけることができるため、ＡＴに関するＮＦコントローラ、すなわちアクティブセットの一部としてＡＴと通信中のＮＦ、は、そのＡＴにおけるＴＦに関する資源の割り当て、管理及びテアダウンの機能を実行する。従って、複数のＮＦが、単一のＴＦにおいて資源を制御することができる。ただし、これらの資源は、独立して管理される。図４の例においては、ＮＦ ４０８は、線４６０によって示されるように、ＡＴ４０３に関するＩＡＰとして動作中である。
【００５４】
実行された論理的機能の残りは、分散型アーキテクチャに関する場合と同じである。
【００５５】
典型的ＡＴ４０３は、複数のインタフェース（Ｉ＿ａ ４４６、Ｉ＿ｂ ４４８、Ｉ＿ｃ ４５０）と、ＭＮ ４５２と、を含む。ＡＴ ４０３は、無線リンク４５４を介してＡＰ＿ａ４１０に結合することができ、時々結合される。ＡＴ４０３は、無線リンク４５６を介してＡＰ＿ｂ４１２に結合することができ、時々結合される。ＡＴ４０３は、無線リンク４５８を介してＡＰ＿ｃ４１４に結合することができ、時々結合される。
【００５６】
ＤＯ及び８０２．２０等のシステムにおいては、ＡＴは、特定のセクターのアクセスチャネル上においてアクセス試みを行うことによってＡＰからサービスを入手する（ＴＦ）。アクセス試みを受信中のＴＦと関連づけられたＮＦは、ＡＴに関するセッションマスターであるＩＡＰに接触し、ＡＴのセッションのコピーを取り出す。（ＡＴは、ＵＡＴＩをアクセスペイロードに含めることによってＩＡＰのアイデンティティを示す。ＵＡＴＩは、ＩＡＰを直接アドレッシングするためにＩＰアドレスとして用いることができ、又はＩＡＰのアドレスを検索するために用いることができる。）アクセス試みが成功した時点で、ＡＴは、そのセクターと通信するためのエアインタフェース資源、例えばＭＡＣ ＩＤ及びデータチャネル、が割り当てられる。
【００５７】
さらに、ＡＴは、聞くこと（ｈｅａｒ）ができるその他のセクター及びそれらの信号強度を示す報告を送信することができる。ＴＦは、前記報告を受信し、ＮＦ内のネットワークに基づくコントローラに転送し、前記コントローラは、アクティブセットをＡＴに提供する。ＤＯ及び８０２．２０に関して、これらは今日実装されているため、ＡＴが通信できるＮＦは正確に１つだけ存在する（ただし、一時的に２つのＮＦが存在するＮＦハンドオフ中を除く）。ＡＴと通信中のＴＦの各々は、受信されたデータ及びシグナリングをこの単一のＮＦに転送する。このＮＦは、ＡＴに関するネットワークに基づくコントローラとしても働き、ＡＴがアクティブセット内のセクターとともに用いるための資源の割り当て及びテアダウンの交渉及び管理に関する責任を有する。
【００５８】
従って、アクティブセットは、ＡＴにエアインタフェース資源が割り当てられるセクターの組である。ＡＴは、定期的報告を送信し続け、ネットワークに基づくコントローラは、ＡＴがネットワーク内を移動するのに応じてアクティブセットにセクターを加える又はアクティブセットからセクターを取り除くことができる。
【００５９】
アクティブセット内のＮＦは、アクティブセットに加わるときにＡＴに関するセッションのローカルコピーもフェッチする。セッションは、ＡＴと適切に通信するために必要である。
【００６０】
ソフトハンドオフを有するＣＤＭＡエアリンクに関して、アップリンクにおいては、アクティブセット内のセクターの各々は、ＡＴの送信を復号するのを試みることができる。ダウンリンクにおいては、アクティブセット内のセクターの各々は、ＡＴに同時に送信することができ、ＡＴは、受信された送信を結合してパケットを復号する。
【００６１】
ＯＦＤＭＡシステム、又はソフトハンドオフなしのシステムに関しては、アクティブセットの１つの機能は、ＡＴが新しいアクセス試みを行う必要なしにアクティブセット内のセクター間で素早く切り換えること及びサービスを維持することを可能にすることである。アクティブセット構成要素は、セッション及びＡＴ割り当てられたエアインタフェース資源を既に有するため、アクセス試みは、一般的には、アクティブセット構成要素間での切り換えよりもはるかに遅い。従って、アクティブセットは、アクティブアプリケーションのＱｏＳサービスに影響を及ぼさずにハンドオフを行う上で有用である。
【００６２】
ＡＴ及びＩＡＰ内のセッションマスターが属性、又は代替として接続状態の変更について交渉するときには、該属性又は新しい状態に関する新値を、各セクターから最適なサービスを確保するためにタイムリーな形で、アクティブセット内の各々のセクターに配分する必要がある。幾つかの場合においては、例えば、ヘッダーの型が変わるか又はセキュリティキーが変わる場合は、ＡＴは、これらの変更がセクターに伝搬されるまではそのセクターとまったく通信できない。従って、アクティブセットのすべての構成要素は、セッションが変わったときに更新されるべきである。幾つかの変更は、その他の変更よりも同期化に関する重要度が低い場合がある。
【００６３】
ネットワーク内においては、アクティブな接続を有するＡＴに関して３つの主な型の状態又はコンテキストが存在する。
【００６４】
データ状態は、接続中におけるＡＴとＩＡＰ又はＮＦとの間におけるデータ経路に関するネットワーク内の状態である。データ状態は、ヘッダー圧縮器状態又は非常に動的で転送が困難であるＲＬＰフロー状態等を含む。
【００６５】
セッション状態は、接続が閉じられたときに保存されるＡＴとＩＡＰとの間における制御経路に関するネットワーク内の状態である。セッション状態は、ＡＴとＩＡＰとの間で交渉される属性の値を含む。これらの属性は、接続の特性及びＡＴによって受信されるサービスに対して影響を与える。例えば、ＡＴは、新しいアプリケーションに関するＱｏＳ構成について交渉し、前記アプリケーションに関するＱｏＳサービス要求を示す新しいフィルタ及びフロー仕様をネットワークに供給することができる。他の例として、ＡＴは、ＡＮとの通信において用いられるヘッダーのサイズ及び型を交渉することができる。新しい一組の属性の交渉は、セッション変更として定義される。
【００６６】
接続状態は、接続が閉じてＡＴがアイドル状態のときに保存されない、ＡＴとＩＡＰ又はＮＦとの間における制御経路に関するネットワーク内の状態である。接続状態は、電力制御ループ値、ソフトハンドオフタイミング、及びアクティブセット情報、等の情報を含むことができる。
【００６７】
ＩＡＰ又はＬ３ハンドオフにおいては、３つの型の状態を旧ＩＡＰと新ＩＡＰとの間で転送する必要がある。アイドル中のＡＴのみがＬ３ハンドオフを行うことができる場合は、セッション状態のみを転送する必要がある。アクティブＡＴに関するＬ３ハンドオフをサポートするためには、データ及び接続状態も転送することが必要になる場合がある。
【００６８】
ＤＯ及び８０２．２０、等のシステムは、各ルートに関するデータ状態がそのルートに対してローカルである、すなわち、複数のルートが各々独立したデータ状態を有する場合に、これらのルート（又はデータスタック）を定義することによってデータ状態のＬ３ハンドオフを単純にする。各ＩＡＰを異なるルートと関連づけることによって、データ状態は、ハンドオフの際に転送する必要がない。さらなるより良いステップは、各ＮＦを異なるルートと関連づけることであり、この場合は、Ｌ３ハンドオフは、データ状態にとって完全に透明である。ただし、可能なパケット順序の再設定を除く。
【００６９】
データ状態は、複数のルートを有するため、アクティブＡＴに関するＬ３ハンドオフをサポートするための次の論理的ステップは、接続状態の制御をＩＡＰから移動させ、アクティブセット内の各ＮＦに対してローカルにすることである。このことは、複数の制御ルート（又は制御スタック）を定義しさらに制御スタックが独立していて各ＮＦに対してローカルであるようにエアインタフェースを定義することによって行われる。このことは、アクティブセットの全構成要素を管理するための単一のＮＦがもはや存在しないため、接続状態の資源の割り当て及びテアダウンの交渉及び管理の一部をＡＴに転送することを要求する場合がある。さらに、異なるＴＦは同じＮＦを共有することができないため、アクティブセット内のＴＦ間での緊密な結合を回避するためにエアインタフェース設計に関して幾つかの追加の要求を行う場合もある。例えば、最適な方法で動作するためには、同じＮＦ、例えば電力制御ループ、ソフトハンドオフ、等を有さないＴＦ間でのあらゆる密な同期化を排除するのが好ましい。
【００７０】
データ及び接続状態をＮＦまで下げることは、Ｌ３ハンドオフにおいてこの状態を転送する必要性をなくし、さらにＮＦとＮＦのインタフェースもより単純にするはずである。
【００７１】
従って、システムは、ＡＴ内の複数の独立したデータ及び制御スタック（図３及び図４においてはインタフェースと呼ばれる）が必要に応じて異なるＮＦと通信するように定義し、及び、ＡＴ及びＴＦがこれらのスタック間を論理的に区別するようにアドレッシングメカニズムを定義する。
【００７２】
基本的には、ＮＦ（又はＬ３）ハンドオフが存在するごとに交渉するのは費用がかかりすぎるため、幾つかのセッション状態（ＱｏＳプロフィール、セキュリティキー、属性値、等）は、ＮＦ（又はＩＡＰ）に対してローカルにすることができない。さらに、セッション状態は、相対的に静的で転送が容易である。必要なことは、セッション状態が変化するのに応じて及びセッションマスターが移動するＩＡＰハンドオフ中にセッション状態を管理及び更新するためのメカニズムである。
【００７３】
Ｌ３ハンドオフに関するセッション状態転送を最適化することは、ネットワークインタフェースを単純化しさらにハンドオフの継ぎ目無し性も向上させるはずであるため、ネットワークアーキテクチャにかかわらずすべてのシステムに関する有用な特長である。
【００７４】
ハンドオフの制御対認識
別個であるが関連する課題は、Ｌ３ハンドオフのＡＴ制御である。今日では、ＤＯ及び８０２．２０、等のシステムにおいては、ＡＴは、ローカルスタックを割り当てる及びテアダウンするためＬ３ハンドオフを認識しているが、Ｌ３ハンドオフがいつ発生するかについては制御権を有さない。これは、ネットワークに基づく移動性管理と呼ばれる。この場合の問題は、ＡＴをハンドオフコントローラにすべきかどうか、すなわちＡＴに基づく移動性管理を用いるべきかどうかということである。
【００７５】
故障耐性及び負荷均衡化をサポートするため、ネットワークは、ハンドオフを行うことができるか又はハンドオフを行うようにＡＴにシグナリングするためのメカニズムを有する必要がある。従って、ＡＴに基づく移動性管理が用いられる場合でも、ネットワークは、いつ生じるべきかを示すためのメカニズムが依然として必要である。
【００７６】
ＡＴに基づく移動性管理は、幾つかの明確な利点、例えば、インター及びイントラ技術に関して単一のメカニズムを考慮する、グローバル及びローカル移動性、等、を有する。さらに、ＡＴに基づく移動性管理は、ネットワーク要素がいつハンドオフを行うべきかを決定するように要求しないことによってネットワークインタフェースを単純化する。
【００７７】
ＤＯ及び８０２．２０等のシステムがネットワークに基づく移動性を用いる主な理由は、ＡＴに基づく移動性が音声をサポートする上で十分に高速に機能するように最適化されないためである。二次的な理由は、ＡＴにおいて（ＭＩＰｖ６に関する）モバイルＩＰトンネルを終了させることによって導入されるトンネリングオーバーヘッドである。移動性レーテンシーは、現在と前の順方向リンク交信セクターの間においてトンネルを用いて、及びおそらくはデータがアクティブセット内の複数のＮＦに対して同時に送信されるバイキャスティングを用いて、データを転送することによって解決することができる。
【００７８】
Ｌ２及びＬ３ハンドオフ
ＳｉｍｐｌｅＲＡＮにおいては、２つの型のハンドオフが存在する。例えば、レイヤ２又はＬ２ハンドオフは、順方向リンク又は逆方向リンク交信セクターの変更を意味し（ＴＦ）、Ｌ３ハンドオフは、ＩＡＰの変更を意味する。Ｌ２ハンドオフは、変化し続ける無線状態に応じて可能なかぎり速やかであるべきである。ＤＯ及び８０２．２０、等のシステムは、ＰＨＹ層シグナリングを用いてＬ２ハンドオフを高速にする。
【００７９】
Ｌ２ハンドオフは、順方向リンク（ＦＬ）又は逆方向リンク（ＲＬ）に関する交信セクターＴＦの転送である。ハンドオフは、ＡＴがアクティブセット内の新しい交信セクターをそのセクターに関するＡＴにおけるＲＦ状態に基づいて選択したときに生じる。ＡＴは、アクティブセット内の全セクターに関する順方向リンク及び逆方向リンクに関するＲＦ状態に関するフィルタリングされた測定を行う。例えば、８０２．２０においては、順方向リンクに関して、ＡＴは、取得パイロットにおけるＳＩＮＲ、共通のパイロットチャネル（存在する場合）、及び共有されるシグナリングチャネルにおけるパイロットを測定して、その希望されるＦＬ交信セクターを選択する。逆方向リンクに関しては、ＡＴは、アクティブセット内の各セクターに関するＣＱＩ消去レートをそのセクターからＡＴへのアップ／ダウン電力制御コマンドに基づいて推定する。
【００８０】
Ｌ２ハンドオフは、ＡＴが逆方向リンク制御チャネルを介して異なるＦＬ又はＲＬ交信セクターを要求するときに開始される。専用資源は、ＴＦがＡＴに関するアクティブセット内に含まれているときにＴＦにおいて割り当てられる。ＴＦは、ハンドオフ要求前にＡＴをサポートするように既に構成されている。目標となる交信セクターは、ハンドオフ要求を検出し、ＡＴにトラフィック資源を割り当てることによってハンドオフを完了する。順方向リンクＴＦハンドオフは、送信すべき目標ＴＦに関するデータを受信するためにソースＴＦ又はＩＡＰと目標ＴＦとの間における往復のメッセージ伝送を要求する。逆方向リンクＴＦハンドオフに関しては、目標ＴＦは、直ちにＡＴに対して資源を割り当てることができる。
【００８１】
Ｌ３ハンドオフは、ＩＡＰの転送である。Ｌ３ハンドオフは、新しいＩＡＰによるＨＡを拘束する更新が関わり、制御プレーンに関する新しいＩＡＰへのセッション転送を要求する。Ｌ３ハンドオフは、システム内でのＬ２ハンドオフと非同期であり、このためＬ２ハンドオフは、ＭＩＰｖ６ハンドオフシグナリング速度によって制限されない。
【００８２】
Ｌ３ハンドオフは、各ＮＦへの独立したルートを定義することによってシステム内においてオーバー・ザ・エアでサポートされる。各フローは、より高い層のパケットの送信及び受信に関する複数のルートを提供する。前記ルートは、いずれのＮＦがパケットを処理したかを示す。例えば、１つのＮＦは、ＴＦにおいて及びオーバー・ザ・エアでルートＡとして関連づけることができ、他のＮＦは、ルートＢと関連づけることができる。交信ＴＦは、各々に関して別個の及び独立したシーケンススペースを用いて、ルートＡ及びルートＢの両方から、すなわち両方のＮＦから、ＡＴに同時にパケットを送信することができる。
【００８３】
システム設計では、モバイルに関するＱｏＳ処理を保証するために２つの重要なアイデアが存在しており、そのトラフィックは、各ハンドオフモード、すなわちＬ２及びＬ３ハンドオフの分離、を通じて保持される。
【００８４】
ハンドオフ中におけるデータフロー遮断を最小限にするために、ハンドオフ前における目標ＮＦ又はＴＦでのエアインタフェース資源の保存及びセッションのフェッチが生じる。このことは、目標ＴＦ及びＮＦをアクティブセットに加えることによって行われる。
【００８５】
システムは、システムが高レートのＬ２ハンドオフ中にＥＦトラフィックをサポートするのを可能にするためにＬ２ハンドオフ及びＬ３ハンドオフを分離するように設計される。Ｌ３ハンドオフは、毎秒２乃至３のレートに制限される拘束更新（ｂｉｎｄｉｎｇ  ｕｐｄａｔｅ）を要求する。２０乃至３０Ｈｚのより高速なＬ２ハンドオフレートを可能にするために、Ｌ２及びＬ３ハンドオフは、独立していて非同期であるように設計される。
【００８６】
Ｌ２ハンドオフに関して、アクティブセット管理は、Ｌ２ハンドオフの場合にＡＴに直ちにサービスを提供できるようにするためにアクティブセット内の全ＴＦを構成して専用資源を割り当てることを可能にする。
【００８７】
アクセス端末（ＡＴ）にサービスを提供する複数のアクセスポイント（ＡＰ）を有する移動体無線通信システムについて検討する。多くのシステムは、ＡＴに資源を割り当てているＡＰの組であるアクティブセットを有する。所定の時点において、ＡＴは、ＡＰのうちの１つとの無線通信範囲内にあることができ、又は電池電力の最適化及び無線干渉低減を目的として、１つの慎重に選択されたＡＰ（交信ＡＰ）のみと通信することができる。ここで検討される問題は、交信ＡＰがＡＴに又はＡＴからメッセージを引き渡すことができるような形での、システム内における様々なＡＰ間でのメッセージ及びデータの引き渡しである。
【００８８】
ＡＰは、Ｌ２ＴＰ（層２トンネリングプロトコル）トンネルを通じてデータを交換することができる。ＡＰ２が交信ＡＰである間にＡＰ１がＡＴにメッセージ又はデータを送信しなければならない場合は、ＡＰ１は、最初にＬ２ＴＰトンネルを用いてＡＰ２にパケットを引き渡し、ＡＰ２は、識別子ビット、例えばリプロセスビット、の使用を含むメカニズムを用いてこのパケットをＡＴに引き渡す。同様に、ＡＰ２が交信中にＡＴがメッセージ又はデータをＡＰ１に送信しなければならない場合は、リモートビット組を用いてＡＰ２にメッセージを送信し、ＡＰ２は、Ｌ２ＴＰトンネルを介してこのパケットをＡＰ１に送信する。
【００８９】
Ｌ２ＴＰヘッダーは、以下のフィールドを含む。
【００９０】
１．  ＵｓｅｒＩＤ：このフィールドは、Ｌ２ＴＰパケットがアドレッシングされる先であるユーザーのアドレスである。
【００９１】
２．  ＦｏｒｗａｒｄＯｒＲｅｖｅｒｓｅ：このフィールドは、ＡＴがパケットの行先であるか又はソースであるかを識別する。
【００９２】
３．  ＦｌｏｗＩＤ：一設計においては、このフィールドは、順方向リンクパケット（ＡＴ向けパケット）内のみにおいて存在することができ、交信ＡＰがパケットをＡＴに引き渡すために用いるべきフローを識別する。
【００９３】
４．  ＳｅｃｕｒｉｔｙＦｉｅｌｄ：一設計においては、このフィールドは、逆方向リンクパケット（ＡＴにおいて生成されたパケット）内のみにおいて存在することができる。ＳｅｃｕｒｉｔｙＦｉｅｌｄは、ＩｓＳｅｃｕｒｅビットと、（セキュリティ動作に関して用いられるキーを識別するための）ＫｅｙＩｎｄｅｘフィールドと、ＣｒｙｐｔｏＳｙｎｃフィールドと、を含むことができる。
【００９４】
一側面においては、順方向リンクＬ２ＴＰパケットが通信される。ここでは、順方向リンクＬ２ＴＰパケットを送信及び受信するためにＡＰによって用いられるプロセスについて説明する。
【００９５】
ＡＰは、ＡＴに送信すべきデータ又はメッセージを有するときに順方向リンクＬ２ＴＰパケットを送信する。ＡＰは、該当するヘッダーを形成し、（交信ＡＰのアイデンティティを知らない場合は、可能な場合は中央ノード−ＩＡＰを通じてパケットをルーティングすることによって）Ｌ２ＴＰパケットを交信ＡＰに送信する。
【００９６】
ＡＰは、順方向リンクＬ２ＴＰパケットを受信したときに以下のステップを実行する。
【００９７】
１．  ＡＰが（Ｌ２ＴＰヘッダー内の）所定のＵｓｅｒＩＤに関して交信中でない場合は、（可能な場合は中央ノード−ＩＡＰを通じてパケットをルーティングすることによって）現在の交信ＡＰにパケットを転送する。
【００９８】
２．  ＡＰが所定のＵｓｅｒＩＤに関して交信中である場合は、（Ｌ２ＴＰヘッダー内の）所定のＦｌｏｗＩＤに関するＲＬＰフロー及び関連づけられたＱｏＳ属性を用いてＡＴにパケットを引き渡す。
【００９９】
一側面においては、逆方向リンクＬ２ＴＰパケットが通信される。ここでは、逆方向リンクＬ２ＴＰパケットを送信及び受信するためにＡＰによって用いられるプロセスについて説明する。
【０１００】
ＡＰは、ＡＴからパケットを受信したときに逆方向リンクＬ２ＴＰパケットを送信し、リモートビットがそのパケットに関して設定される。ＡＰがＬ２ＴＰパケットを送信するための第１のステップは、アドレスの決定である。
【０１０１】
アドレス決定：パケットに関するリモートビットが設定された場合は、パケットは、このパケットをいずれのＡＰ（目標ＡＰ）に引き渡すべきかを識別するためのアドレスフィールドも含む。受信中のＡＰは、ＡＰのＩＰアドレスにアドレスフィールドをマッピングする。このマッピングは、以下によって確立することができる。
【０１０２】
１．  マッピングについて説明するメッセージがＡＴからＡＰに送信され、次にマッピング情報がＡＰによって用いられてエアリンクを通じて用いられるアドレスとＩＰアドレスとの間でマッピングするＡＴ補助方法。
【０１０３】
２．  中央のエンティティ又は目標ＡＰによって提供されたマッピング情報が用いられるネットワーク補助方法。
【０１０４】
３．  ＰｉｌｏｔＰＮに基づく方法。この場合は、アドレスフィールドは、単純に、アドレスに対応するＡＰのＰｉｌｏｔＰＮ（又はＰｉｌｏｔＰＮの幾つかの上位ビット）に等しくすることができる。受信中のＡＰは、すべての近隣ＡＰのＰｉｌｏｔＰＮ及びＩＰアドレスをネットワーク構成（それ自体がネットワーク補助型であることができる）の一部として知っており、この情報を用いてＰＮに基づくアドレスと対応するＩＰアドレスとの間でマッピングする。
【０１０５】
４．  ＡＴに関するインターネットアタッチメントポイントであるＡＰを識別するために特別なアドレス型がＡＴによって用いられるＩＡＰアドレス方法。ＡＴに対応するＡＰから成るアクティブセット内の各ＡＰは、その特定のＡＴに関するＩＡＰのＩＰアドレスを知っており、ＡＴのＩＡＰのＩＡＰアドレスとＩＰアドレスとの間でマッピングすることができる。
【０１０６】
アドレス決定後は、Ｌ２ＴＰパケットを送信中のＡＰは、必要な場合、及びセキュリティ設計による決定に従って、セキュリティ関連フィールドを挿入することもできる。
【０１０７】
ＡＰは、逆方向リンクＬ２ＴＰパケットを受信したときに以下のステップを実行する。
【０１０８】
１．  ＡＰが（Ｌ２ＴＰトンネル内の）受信されたパケットにおいて示される所定のＵｓｅｒＩＤを提供中でない場合は、そのパケットを無視する。
【０１０９】
２．  ＡＰが受信されたパケットの所定のＵｓｅｒＩＤを提供中である場合は、ＡＰは、パケットがあたかも自己のＭＡＣ層から受信されたものとしてパケットを処理する。パケットの処理は、Ｌ２ＴＰトンネルにおいて受信されたＳｅｃｕｒｉｔｙＦｉｅｌｄに依存することができる。
【０１１０】
図５は、様々な実施形態によるアクセス端末に情報を通信するためにアクセスポイントを動作させる典型的方法の流れ図５００である。動作は、ステップ５０２において開始し、アクセスポイントに電源が投入されて初期設定される。流れ図５００の方法を実行するアクセスポイントは、例えばアクセス端末とアクティブなエアリンクを有する交信アクセスポイントである。従って、前記アクセスポイントは、アクセス端末の観点からの交信アクセスポイントである。ステップ５０４及び／又は５０６は、幾つかの実施形態においては実行されるが、その他の実施形態においては省略される。フローは、あたかもステップ５０４及び５０６の両方が含まれるものとして説明される。しかしながら、動作フローは、省略されたステップを迂回できることが理解されるべきである。
【０１１１】
動作は、開始ステップ５０２からステップ５０４に進む。ステップ５０４において、アクセスポイント、例えば交信アクセスポイント、は、遠隔アクセスポイントからパケットを受信し、前記受信されたパケットは、遠隔アクセスポイントに対応するＩＰアドレスと、アクセス端末に通信されるべき情報と、を含む。次に、ステップ５０６において、アクセスポイント、例えば交信中のアクセスポイント、は、ＩＰアドレスからＰＮ符号へのマッピング情報データベースから、遠隔アクセスポイントの前記ＩＰアドレスに対応するＰＮ符号アドレス情報を取り出す。動作は、ステップ５０６からステップ５０８に進む。
【０１１２】
ステップ５０８において、アクセスポイント、例えば交信アクセスポイントは、パケットを生成し、前記パケットは、アクセスポイント、例えば前記遠隔アクセスポイント、及び通信されるべき情報を識別するＰＮ符号アドレスを含む。ステップ５０８は、サブステップ５１０を含み、サブステップ５１０において、流れ図５００の方法を実行するアクセスポイント、例えば交信アクセスポイント、は、前記アクセスポイント、例えば前記遠隔アクセスポイント、に対応する他のアドレス、例えばＩＰアドレス、からＰＮ符号アドレスを決定し、前記他のアドレスは、前記ＰＮ符号アドレスよりも多いビットを含む。幾つかの実施形態においては、サブステップ５１０は、サブステップ５１２を含む。サブステップ５１２において、流れ図５００の方法を実行するアクセスポイント、例えば交信アクセスポイント、は、前記遠隔アクセスポイントの前記ＩＰアドレスに対応する取り出されたＰＮ符号アドレス情報から遠隔アクセスポイントに対応するＰＮ符号アドレスを決定する。次に、ステップ５１２において、アクセスポイント、例えば交信アクセスポイント、は、生成されたパケットをエアリンクを通じて送信する。
【０１１３】
幾つかの実施形態においては、ＰＮ符号アドレス情報は、遠隔アクセスポイントに対応するＰＮ符号アドレスを含み、アドレス決定動作を行うステップは、取り出されたＰＮ符号アドレスを送信されたパケット内の前記ＰＮ符号アドレスとして用いることを含む。幾つかのその他の実施形態においては、取り出されたＰＮ符号アドレス情報は、前記遠隔アクセスポイントに対応するＰＮ符号アドレスを予め決められた機能によって導き出すことができる値を含み、遠隔デバイスに対応するＰＮ符号アドレスを決定することは、前記予め決められた機能を用いて、取り出されたＰＮ符号アドレス情報に含まれる値から前記ＰＮ符号アドレスを生成することを含む。幾つかの実施形態においては、決定されたＰＮ符号アドレスは、前記遠隔アクセスポイントによって用いられるパイロットＰＮ符号の一部分であり、パケットを生成することは、前記受信されたパケットに含まれる情報を前記生成されたパケット内に含めることを含む。
【０１１４】
図６は、遠隔アクセスポイントと通信するためにアクセスポイントを動作させる典型的方法の流れ図６００である。動作は、ステップ６０２において開始し、アクセスポイントに電源が投入されて初期設定され、ステップ６０４に進む。ステップ６０４において、アクセスポイントは、システム内のその他のアクセスポイントによって用いられるＰＮ符号を示す情報を受信する。次に、ステップ６０６において、アクセスポイントは、システム内のその他のノードに対応するＰＮ符号情報をこれらのその他のノードに対応する対応する長アドレスとともに格納する。動作は、ステップ６０６からステップ６０８に進む。
【０１１５】
ステップ６０８において、アクセスポイント、例えばアクセス端末の観点からの交信アクセスポイント、は、アクセス端末からパケットを受信し、前記パケットは、ＰＮ符号アドレスと、遠隔デバイスに通信されるべき情報と、を含む。動作は、ステップ６０８からステップ６１０に進む。ステップ６１０において、アクセス端末は、前記遠隔デバイスにパケットを通信するために用いられる前記ＰＮ符号アドレスに対応する長アドレスを決定し、前記長アドレスは、前記ＰＮ符号アドレスよりも多いビットを含む。ステップ６１０は、サブステップ６１２を含み、サブステップ６１２において、アクセスポイントは、ＩＰアドレスからＰＮ符号アドレスへのマッピング情報データベースから、ＰＮ符号アドレスに対応するＩＰアドレスを取り出す。動作は、ステップ６１０からステップ６１４に進む。ステップ６１４において、アクセスポイントは、通信されるべき情報を長アドレスとともに前記遠隔デバイスに送信する。幾つかの実施形態においては、通信されるべき情報を長アドレスとともに前記遠隔デバイスに送信することは、決定されたＩＰアドレスを、レイヤ２トンネルを通じて前記遠隔アクセスポイントに前記パケットをルーティングするために用いられるヘッダー内の行先識別子として用いて、受信された情報を前記遠隔アクセスポイントに送信することを含む。
【０１１６】
幾つかの実施形態においては、格納されたＰＮ符号情報は、ＰＮ符号アドレスから予め決められた既知の方法で決定することができる値を含む。幾つかの実施形態においては、格納されたＰＮ符号情報は、遠隔アクセスポイントのＩＰアドレスに対応するＰＮ符号アドレスを含む。
【０１１７】
図７は、様々な実施形態による典型的アクセスポイント７００の図である。アクセスポイント７００は、無線リンクを介して、該アクセスポイントが交信アクセスポイントとして行動している相手であるアクセス端末と情報を通信する。典型的アクセスポイント７００は、様々な要素がデータ及び情報を交換することができるバス７１２を介してひとつに結合された無線受信機モジュール７０２と、無線送信機モジュール７０４と、プロセッサ７０６と、ネットワークインタフェースモジュール７０８と、メモリ７１０と、を含む。メモリ７１０は、ルーチン７１８と、データ／情報７２０と、を含む。プロセッサ７０６、例えばＣＰＵ、は、アクセスポイントの動作を制御するため及び方法、例えば図５の流れ図５００及び／又は図６の流れ図６００による方法、を実装するためにメモリ７１０内のルーチン７１８を実行し、データ／情報７２０を用いる。
【０１１８】
無線受信機モジュール７０２、例えばＯＦＤＭ及び／又はＣＤＭＡ受信機、は、受信機アンテナ７１４に結合され、アクセスポイントは、受信機アンテナ７１４を介して、アクセス端末からアップリンク信号を受信する。無線受信機モジュール７０２は、アクセス端末からパケットを受信し、前記受信されたパケットは、ＰＮ符号アドレスと、遠隔デバイス、例えば遠隔アクセスポイント、に通信されるべき情報と、を含む。
【０１１９】
無線送信機モジュール７０４、例えばＯＦＤＭ及び／又はＣＤＭＡ送信機、は、送信アンテナ７１６に結合され、アクセスポイントは、送信アンテナ７１６を介して、ダウンリンク信号をアクセス端末に送信する。無線送信機モジュール７０４は、無線通信リンクを通じて、ダウンリンクパケット、例えば、ヘッダーの一部としてのＰＮ符号アドレスと通信されるべき情報を含むパケットペイロード部分とを含むモジュール７２４からの生成されたダウンリンクパケット、を送信する。
【０１２０】
幾つかの実施形態においては、複数のアンテナ及び／又は複数のアンテナ要素が受信に関して用いられる。幾つかの実施形態においては、複数のアンテナ及び／又は複数のアンテナ要素が送信に関して用いられる。幾つかの実施形態においては、同じアンテナ又はアンテナ要素の少なくとも一部は、送信及び受信の両方に関して用いられる。幾つかの実施形態においては、アクセスポイントは、ＭＩＭＯ技術を用いる。
【０１２１】
ネットワークインタフェースモジュール７０８は、アクセスポイント７００を、ネットワークリンク７０９を介してその他のネットワークノード、例えばその他のアクセスポイント、ＡＡＡノード、ホームエージェントノード、等、及び／又はインターネットに結合する。様々な実施形態においては、インターＡＰトンネル、例えばレイヤ２トンネリングプロトコルトンネルが、ネットワークインタフェースモジュール７０８を通じてバックホールネットワーク上において構築され、トンネル経路は、ネットワークリンク７０９を含む。ネットワークインタフェースモジュール７０８は、ネットワーク接続、例えばリンク７０９、を介して、遠隔デバイス、例えば遠隔アクセスポイント、からパケットを受信し、前記パケットは、長アドレスと、通信されるべき情報と、を含む。
【０１２２】
ルーチン７１８は、長アドレスからＰＮ符号アドレスへのマッピングモジュール７２２と、ダウンリンクパケット生成モジュール７２４と、データベース更新モジュール７２６と、ＰＮ符号アドレスから長アドレスへのマッピングモジュール７２８と、トンネル化パケット生成モジュール７３０と、を含む。データ／情報７２０は、アドレス情報データベース７３２と、アクセス端末状態情報７４２と、を含む。アドレス情報データベース７３２は、長アドレスからＰＮ符号アドレスへのマッピングモジュール７２２によってアクセス可能であり、長アドレスを対応するＰＮ符号アドレス情報と関連づける格納された情報を含む。アドレス情報データベース７３２は、通信システム内の異なるアクセスポイントに対応する複数の組の情報（アクセスポイント１情報７３３、．．．、アクセスポイントｎ情報７３５）を含む。アクセスポイント１情報７３３は、長アドレス１ ７３４と、対応するＰＮ符号アドレス情報１ ７３６と、を含む。アクセスポイントｎ情報７３５は、長アドレスｎ ７３８と、対応するＰＮ符号アドレス情報ｎ ７４０と、を含む。幾つかの実施形態においては、長アドレス（７３４、７３８）は、ＩＰアドレスである。様々な実施形態においては、ＰＮ符号アドレスは、ＰＮ符号アドレスに対応する長アドレスを有するアクセスポイントによって用いられるパイロットＰＮ符号に基づく。様々な実施形態においては、長アドレスは、レイヤ２トンネル、例えばレイヤ２トンネリングプロトコルトンネル、を通じて、アクセスポイント間、例えば遠隔アクセスポイントと交信アクセスポイントとの間、においてパケットをルーティングするために用いられるアドレスであり、ＰＮ符号情報は、エアリンクを通じてパケットを通信するために用いられるＰＮ符号を含む。アクセス端末状態情報は、複数のアクセス端末、例えばアクセスポイント７００とアクティブな無線リンクを有するアクセス端末、に対応する状態情報（アクセス端末１状態情報７４４、．．．、アクセス端末Ｎ状態情報７４６）、を含む。
【０１２３】
長アドレスからＰＮ符号アドレスへのマッピングモジュール７２２は、長アドレスに対応するＰＮ符号アドレスを決定し、前記ＰＮ符号アドレスは、無線通信リンクを通じて用いられ、前記ＰＮ符号アドレスは、前記長アドレスよりも少ないビットを含む。ダウンリンクパケット生成モジュール７２４は、前記ＰＮ符号アドレスと通信されるべき前記情報とを含むパケットを生成する。
【０１２４】
ＰＮ符号アドレスから長アドレスへのマッピングモジュール７２８は、遠隔デバイス、例えば遠隔アクセスポイント、に情報を通信するために用いるためのＰＮ符号アドレスに対応する長アドレスを決定し、前記長アドレスは、前記ＰＮ符号アドレスよりも多いビットを含む。トンネル化パケット生成モジュール７３０は、遠隔デバイス、例えば遠隔アクセスポイント、に送信されるべきパケットを生成し、前記トンネル化パケット生成モジュール７３０は、ｉ）受信されたパケットに含まれるＰＮ符号アドレスから決定された長アドレスと、ｉｉ）長アドレスを決定するために用いられた短アドレスを含んでいた受信されたパケットに含まれていた通信されるべき情報と、を含むパケットを生成する。
【０１２５】
図８は、様々な実施形態による情報を通信するためにアクセス端末を動作させる典型的方法の流れ図８００である。動作は、ステップ８０２において開始し、アクセス端末に電源が投入されて初期設定され、ステップ８０４に進む。ステップ８０４において、アクセス端末は、デバイスからの信号、例えば遠隔アクセスポイントからのパイロット信号、を受信する。次に、ステップ８０６において、アクセス端末は、受信された信号からＰＮ符号アドレスを生成する。様々な実施形態においては、ステップ８０６は、サブステップ８０８を含み、サブステップ８０８において、アクセス端末は、予め決められた機能を用いて、受信されたパイロット信号から決定されたパイロットＰＮ符号からＰＮ符号アドレスを生成する。幾つかの該実施形態においては、予め決められた機能は、全ＰＮ符号アドレスを遠隔デバイスのＰＮ符号アドレスとして用いる。幾つかのその他の実施形態においては、予め決められた機能は、パイロットＰＮ符号の一部分を遠隔デバイスの符号アドレスとして使用し、前記一部分は、全パイロットＰＮ符号よりも小さい。
【０１２６】
動作は、ステップ８０６からステップ８１０に進む。ステップ８１０において、アクセス端末は、ＩＰアドレスへのエアリンク情報データベース内に、前記デバイス、例えば前記遠隔アクセスポイント、に対応するＩＰアドレスとステップ８０６において生成された前記ＰＮ符号アドレスとの間においてマッピングする情報を格納する。
【０１２７】
動作は、ステップ８１０からステップ８１２に進み、ステップ８１２において、アクセス端末は、アクセス端末が前記デバイス、例えば前記遠隔アクセスポイント、に関する非ＰＮに基づくエアリンクアドレスを有するかどうかを決定する。様々な実施形態においては、ステップ８１２は、サブステップ８１４を含み、サブステップ８１４において、アクセス端末は、前記アクセス端末がｉ）予め決められた予約されたアドレス、ｉｉ）前記遠隔アクセスポイントに向けられたパケットに関する第１のアクセスポイントへのエアリンクを通じての通信のために用いるためにアクセス端末によって第１のアクセスポイントに供給されたアドレス、及びｉｉｉ）前記遠隔アクセスポイントへのエアリンクを通じて通信されたパケットに関して用いるためのネットワークによって供給されたアドレス、のうちの１つを有する。
【０１２８】
動作は、ステップ８１２からステップ８１６に進む。ステップ８１６において、フローは、デバイスに関して、例えば遠隔アクセスポイントに関して、１つ以上の非ＰＮに基づくエアリンクアドレスが見つけられたかどうかの関数として向けられる。ステップ８１２において非ＰＮに基づくアドレスが見つけられなかった場合は、動作は、ステップ８１６からステップ８１８に進む。その他の場合は、動作は、ステップ８１６からステップ８２０に進む。
【０１２９】
ステップ８１８に戻り、ステップ８１８において、アクセス端末は、前記ＰＮ符号アドレスを含むパケットを生成し、前記パケットは、前記デバイスに対して、例えば前記遠隔アクセスポイントに対して、向けられる。動作は、ステップ８１８からステップ８２２に進む。
【０１３０】
ステップ８２２において、アクセス端末は、無線通信リンクを通じて、前記生成されたパケットを第１の通信デバイス、例えば第１のアクセスポイント、に送信する。送信されたパケットは、前記遠隔デバイス、例えば前記遠隔アクセスポイント、に向けられる。第１のアクセスポイントは、通信リンクを提供するバックホールネットワークを介して、デバイス、例えば遠隔アクセスポイント、に結合される。
【０１３１】
図９は、アクセスポイントを通じて遠隔デバイスから情報を受信するためにアクセス端末を動作させる典型的方法の流れ図９００である。動作は、ステップ９０２において開始し、アクセス端末に電源が投入されて初期設定され、ステップ９０４に進む。ステップ９０４において、アクセス端末は、遠隔デバイスからパイロット信号を受信する。次に、ステップ９０６において、アクセス端末は、前記受信されたパイロット信号からパイロット符号アドレスを生成する。ステップ９０６は、サブステップ９０８を含み、サブステップ９０８におい、アクセス端末は、予め決められた機能を用いて、受信されたパイロット信号から決定されたパイロットＰＮ符号からパイロット符号アドレスを生成する。幾つかの実施形態においては、予め決められた機能は、全パイロットＰＮ符号を遠隔デバイスのＰＮ符号アドレスとして用いる。幾つかの該実施形態においては、予め決められた機能は、パイロットＰＮ符号の一部分を遠隔デバイスのＰＮ符号アドレスとして使用し、前記一部分は、全パイロットＰＮ符号よりも小さい。動作は、ステップ９０６からステップ９１０に進む。
【０１３２】
ステップ９１０において、アクセス端末は、受信されたパイロット信号から生成されたパイロットアドレスをＰＮ符号アドレスと長アドレスとの間におけるマッピングに関して用いられる情報のデータベース内に格納する。様々な実施形態においては、受信されたパイロット信号から生成されたパイロットアドレスを情報データベース内に格納することは、前記パイロット符号アドレスを前記遠隔デバイスに対応する長アドレスとともに格納することを含む。幾つかの該実施形態においては、長アドレスは、遠隔デバイスに対応するＩＰアドレスである。
【０１３３】
動作は、ステップ９１０からステップ９１２に進む。ステップ９１２において、アクセス端末は、前記遠隔デバイスに対応するＰＮ符号アドレスと前記遠隔デバイスからの情報とを含むパケットを前記アクセスポイントから受信する。次に、ステップ９１４において、アクセス端末は、情報を提供した遠隔デバイスを前記ＰＮ符号アドレス及び受信されたＰＮ符号アドレスをアクセスポイントと関連させる格納された情報から識別する。
【０１３４】
１つの典型的実施形態においては、遠隔デバイスは、遠隔アクセスポイントであり、遠隔デバイスは、以前はアクセス端末のアクティブネットワークアタッチメントポイントとしてサービスを提供し、アクセスポイントは、アクセス端末の現在のアクティブネットワークアタッチメントポイントとしてサービスを提供する。
【０１３５】
図１０は、様々な実施形態による典型的アクセス端末１０００の図である。典型的アクセス端末１０００は、アクセスポイントを通じて遠隔デバイスに情報を通信することができ、時々通信する。典型的アクセス端末１０００は、様々な要素がデータ及び情報を交換することができるバス１０１２を介してひとつに結合された無線受信機モジュール１００２と、無線送信機モジュール１００４と、プロセッサ１００６と、ユーザーＩ／Ｏデバイス１００８と、メモリ１０１０と、を含む。メモリ１０１０は、ルーチン１０１８と、データ／情報１０２０と、を含む。プロセッサ１００６、例えばＣＰＵ、は、アクセス端末の動作を制御するため及び方法、例えば図８の流れ図８００及び図９の流れ図９００の方法、を実装するためにメモリ１０１０内のルーチン１０１８を実行し、データ／情報１０２０を用いる。
【０１３６】
無線受信機モジュール１００２、例えばＣＤＭＡ又はＯＦＤＭ受信機、は、受信アンテナ１０１４に結合され、アクセス端末１０００は、受信アンテナ１０１４を介して、アクセスポイントからダウンリンク信号を受信する。無線受信機モジュール１００２は、受信されたパケット、例えば受信されたパケット１０５８、に含まれる情報のソースを識別するＰＮ符号アドレスを含む前記アクセス端末にオーバー・ザ・エアで通信されたパケットを受信する。
【０１３７】
無線送信機モジュール１００４、例えばＣＤＭＡ又はＯＦＤＭ送信機、は、送信アンテナ１０１６に結合され、アクセス端末１０００は、送信アンテナ１０１６を介して、アップリンク信号をアクセスポイントに送信する。無線送信機モジュール１００４は、生成されたパケット、例えば生成されたパケット１０５２、をオーバー・ザ・エアでアクセスポイントに送信する。
【０１３８】
幾つかの実施形態においては、同じアンテナが送信及び受信に関して用いられる。幾つかの実施形態においては、複数のアンテナ及び／又は複数のアンテナ要素が受信に関して用いられる。幾つかの実施形態においては、複数のアンテナ及び／又は複数のアンテナ要素が送信に関して用いられる。幾つかの実施形態においては、同じアンテナ又はアンテナ要素の少なくとも一部は、送信及び受信の両方に関して用いられる。幾つかの実施形態においては、アクセス端末は、ＭＩＭＯ技術を用いる。
【０１３９】
ユーザーＩ／Ｏデバイス１００８は、例えばマイク、キーボード、キーパッド、スイッチ、カメラ、スピーカー、ディスプレイ、等を含む。ユーザーＩ／Ｏデバイス１００８は、アクセス端末１０００のユーザーがデータ／情報を入力すること、出力データ／情報にアクセスすること、及びアクセス端末１０００の少なくとも幾つかの機能を制御すること、例えばピアノード、例えば他のアクセス端末との通信セッションを開始すること、を可能にする。
【０１４０】
ルーチン１０１８は、ＰＮ符号アドレス決定モジュール１０２２と、パケット生成モジュール１０２４と、受信されたパケットソース識別モジュール１０２６と、アドレスデータベース更新モジュール１０３１と、を含む。幾つかの実施形態においては、ルーチン１０１８は、非ＰＮに基づくアドレス利用可能性モジュール１０２７と、アドレス型決定モジュール１０２９と、を含む。データ／情報１０２０は、受信されたパイロット信号１０２８と、受信されたパイロット信号１０３０の対応するＰＮ符号と、対応する決定されたＰＮ符号アドレス１０３２と、を含む。データ／情報１０２０は、複数のアクセスポイントに対応するアドレスマッピング情報（アクセスポイント１情報１０３６、．．．、アクセスポイントｎ情報１０３８）を含むアドレス情報データベース１０３４も含む。アドレス情報データベース１０３４は、例えばＩＰアドレスへのエアリンク情報データベースである。アクセスポイント１情報１０３６は、長アドレス１ １０４０と、対応するＰＮ符号アドレス１ １０４２と、を含む。アクセスポイントｎ情報１０３８は、長アドレスｎ １０４４と、対応するＰＮ符号アドレスｎ  １０４６と、を含む。データベース１０３４は、受信されたパターン信号から決定されたＰＮ符号アドレスを格納する。幾つかの実施形態においては、格納されたＰＮ符号アドレス（１０４２、．．．、１０４６）は、ＰＮ符号アドレスが決定されたパイロット信号のＰＮ符号である。例えば、幾つかの実施形態においては、パイロット信号１０３０のＰＮ符号は、決定されたＰＮ符号アドレス１０３２と同じである。幾つかの実施形態においては、格納されたＰＮ符号アドレスは、予め決められた機能に従ってＰＮ符号アドレスが決定されるパイロット信号のＰＮ符号から導き出される。例えば、決定されたＰＮ符号アドレス１０３２は、パイロット信号１０３０のＰＮ符号から導き出され、２つの値は異なることができ、時々異なる。
【０１４１】
幾つかの実施形態においては、アドレス情報データベース１０３４は、長アドレスに対応する１つ以上の代替の非ＰＮに基づく代替アドレスを含むことができ、時々含む。例えば、幾つかの実施形態におけるアクセスポイントｎ情報１０３８は、同じく長アドレスｎ  １０４４に対応する非ＰＮ符号に基づく代替アドレスｎ  １０４７を含む。非ＰＮ符号に基づく代替アドレスｎ  １０４７等の非ＰＮ符号に基づくアドレスは、例えば、予め決められた予約されたアドレス、遠隔アクセスポイントに向けられたパケットに関する前記第１のアクセスポイントとのエアリンクを通じての通信に関して用いるためにアクセス端末１０００によって第１のアクセスポイントに供給されたアドレス、及びエアリンクを通じて前記遠隔アクセスポイントに通信されたパケットに関して用いるためにネットワークによって供給されたアドレスのうちの１つである。
【０１４２】
データ／情報１０２０は、アクセス端末状態情報１０４８、例えばアクセス端末が現在のアクティブリンクを有するアクセスポイントのリストを含む情報、も含む。データ情報１０２０は、行先アドレス１０５０と、対応する生成されたパケット１０５２と、も含む。行先アドレスは、例えば、ＡＰに対応するＩＰアドレス等の長アドレスである。生成されたパケット１０５２は、ＰＮ符号アドレス１０５４、例えば行先アドレス１０５０への対応するＰＮ符号アドレスと、ペイロード情報１０５６と、を含む。データ／情報１０２０は、受信されたパケット１０５８と、対応する識別されたソースアドレス１０６４と、も含む。受信されたパケット１０５８は、ＰＮ符号アドレス１０６０と、ペイロード情報１０６２と、を含む。識別されたソースアドレス１０６４は、ＰＮ符号アドレス１０６０にマッチングする長アドレスである。
【０１４３】
パケット生成モジュール１０２４は、ＰＮ符号アドレスと遠隔デバイスに通信されるべき情報とを含むパケット、例えば生成されたパケット１０５２、を生成する。幾つかの実施形態においては、パケット生成モジュール１０２４は、時々、非ＰＮ符号に基づくアドレスと遠隔デバイスに通信されるべき情報とを含むパケットを生成する。幾つかの該実施形態においては、パケット生成モジュール１０２４は、ＰＮ符号に基づくパケット生成サブモジュールと、非ＰＮ符号に基づくパケット生成サブモジュールと、を含む。
【０１４４】
ＰＮ符号アドレス決定モジュール１０２２は、ＰＮ符号アドレスをパイロット信号から決定、例えば生成し、前記ＰＮ符号アドレスは、受信されたパイロット信号を送信したアクセスポイントに対応する。例えば、１つのアクセスポイントに対応し、ＰＮ符号アドレス決定モジュール１０２２は、受信されたパイロット信号１０２８からＰＮ符号アドレス１０３２を決定する。幾つかの実施形態においては、ＰＮ符号アドレスを決定する、例えば生成する、ことは、予め決められた機能を用いて、受信されたパイロット信号から決定されたパイロットＰＮ符号からＰＮ符号アドレスを生成することを含む。幾つかの該実施形態においては、予め決められた機能は、受信されたパイロット信号を送信した遠隔デバイスのＰＮ符号アドレスとして全パイロットＰＮ符号を用いる。幾つかのその他の実施形態においては、予め決められた機能は、パイロットＰＮ符号の一部分を遠隔デバイスのＰＮ符号アドレスとして使用し、前記一部分は、全パイロットＰＮ符号よりも小さい。
【０１４５】
受信パケットソース識別モジュール１０２６は、アドレス情報データベース１０３４を用いて受信パケットのソースを識別する。例えば、受信パケットソース識別モジュール１０２６は、受信されたパケット１０５８を処理し、ＰＮ符号アドレスを検査し、アドレス情報データベース１０３４から、ＰＮ符号アドレス１０６０と関連づけられた情報、例えば長アドレス、のソースを決定する。識別されたソースアドレス１０６４は、受信パケットソース識別モジュール１０２６の出力であり、データベース１０３４内の長アドレス（１０４０、．．．、１０４４）のうちの１つである。
【０１４６】
アドレスデータベース更新モジュール１０３１は、アドレス情報データベース１０３４を更新及び維持する、例えば、遠隔デバイスに対応するＩＰアドレスとＰＮ符号アドレスとの間においてマッピングする情報をアドレス情報データベース１０３４内に格納する。例えば、決定されたＰＮ符号アドレス１０３２は、アドレス情報データベース１０３４内に格納され、そのアクセスポイント及び対応する長アドレスと関連づけられる。
【０１４７】
非ＰＮに基づくアドレス利用可能性モジュール１０２７は、アクセス端末１０００が遠隔アクセスポイントに関する非ＰＮ符号に基づくエアリンクアドレスを有するかどうかを決定する。幾つかの実施形態においては、パケット生成モジュール１０２４は、遠隔アクセスポイントに関して非ＰＮ符号に基づくアドレスが利用可能でないと利用可能性モジュール１０２７が決定したときにＰＮ符号アドレスを用いてパケットを生成する。その他の場合は、パケット生成モジュール１０２４は、利用可能な非ＰＮ符号に基づくアドレスのちの１つを用いる。アドレス型決定モジュール１０２９は、いずれの型のアドレスを用いるべきかを決定する。幾つかの実施形態においては、アドレス型決定モジュール１０２９は、ＰＮに基づくアドレス又は非ＰＮに基づくアドレスのいずれを用いるかを決定する。幾つかの実施形態においては、アドレス型決定モジュール１０２９は、複数の非ＰＮに基づく代替アドレスが利用可能であるときにいずれの型の非ＰＮに基づくアドレスを用いるかを決定する。幾つかの実施形態においては、異なる型の代替アドレスが通信システムの異なる部分、異なるデバイス及び／又は異なる優先度レベルと関連づけられる。
【０１４８】
様々な実施形態においては、本明細書において説明されるノードは、側面の１つ以上の方法に対応するステップ、例えば信号処理ステップ、メッセージ生成ステップ及び／又は送信ステップ、を実行するための１つ以上のモジュールを用いて実装される。従って、幾つかの実施形態においては、様々な特長がモジュールを用いて実装される。該モジュールは、ソフトウェア、ハードウェア又はソフトウェアとハードウェアの組合せを用いて実装することができる。上述される方法又は方法ステップの多くは、上述される方法の全部又は一部を例えば１つ以上のノード内に実装するために、機械、例えば追加のハードウェアを有する又は有さない汎用コンピュータ、を制御するための、メモリデバイス、例えばＲＡＭ、フロッピー（登録商標）ディスク、コンパクトディスク、ＤＶＤ、等の機械によって読み取り可能な媒体、に含まれている機械によって実行可能な命令、例えばソフトウェア、を用いて実装することができる。従って、とりわけ、側面は、機械、例えばプロセッサ及び関連するハードウェア、に上述される方法のステップのうちの１つ以上を実行させるための機械によって実行可能な命令を含む機械によって読み取り可能な媒体を対象とする。
【０１４９】
様々な実施形態においては、本明細書において説明されるノードは、１つ以上の方法に対応するステップ、例えば信号処理ステップ、メッセージ生成ステップ及び／又は送信ステップ、を実行するための１つ以上のモジュールを用いて実装される。幾つかの典型的ステップは、接続要求を送信することと、接続応答を受信することと、アクセス端末がアクティブな接続を有するアクセスポイントを示す一組の情報を更新することと、接続要求を転送することと、接続応答を転送することと、資源割り当てを決定することと、資源を要求することと、資源を更新すること、等を含む。幾つかの実施形態においては、様々な特長がモジュールを用いて実装される。該モジュールは、ソフトウェア、ハードウェア又はソフトウェアとハードウェアの組合せを用いて実装することができる。上述される方法又は方法ステップの多くは、上述される方法の全部又は一部を例えば１つ以上のノード内に実装するために、機械、例えば追加のハードウェアを有する又は有さない汎用コンピュータ、を制御するための、メモリデバイス、例えばＲＡＭ、フロッピーディスク、コンパクトディスク、ＤＶＤ、等の機械によって読み取り可能な媒体、に含まれている機械によって実行可能な命令、例えばソフトウェア、を用いて実装することができる。従って、とりわけ、様々な実施形態は、機械、例えばプロセッサ及び関連するハードウェア、に上述される方法のステップのうちの１つ以上を実行させるための機械によって実行可能な命令を含む機械によって読み取り可能な媒体を対象とする。
【０１５０】
幾つかの実施形態においては、１つ以上のデバイス、例えば、アクセス端末及び／又はアクセスポイント等の通信デバイス、のプロセッサ又はプロセッサ（複数）、例えばＣＰＵ、は、通信デバイスによって実行されるものとして説明される方法のステップを実行するように構成される。プロセッサの構成は、プロセッサ構成を制御するための１つ以上のモジュール、例えばソフトウェアモジュール、を用いることによって及び／又は上記のステップを実行する及び／又はプロセッサ構成を制御するためのハードウェア、例えばハードウェアモジュール、をプロセッサ内に含めることによって達成させることができる。従って、幾つかの、ただしすべてではない実施形態は、プロセッサが含まれているデバイスによって実行される様々な説明された方法のステップの各々に対応するモジュールを含むプロセッサを有するデバイス、例えば通信デバイス、を対象とする。幾つかの、ただしすべてではない実施形態においては、デバイス、例えば通信デバイス、は、プロセッサが含まれているデバイスによって実行される様々な説明された方法のステップの各々に対応するモジュールを含む。モジュールは、ソフトウェア及び／又はハードウェアを用いて実装することができる。
【０１５１】
上記の説明に鑑みて、上述される方法及び装置に関する数多くの追加の変形が当業者にとって明確になるであろう。該変形は、適用範囲内にあるとみなされるべきである。様々な実施形態の方法及び装置は、ＣＤＭＡ、直交周波数分割多重化（ＯＦＤＭ）、及び／又はアクセスノードとモバイルノードとの間において無線通信リンクを提供するために用いることができる様々なその他の型の通信技術とともに用いることができ、様々な実施形態において用いられる。幾つかの実施形態においては、アクセスノードは、ＯＦＤＭ及び／又はＣＤＭＡを用いてモバイルノードとの通信リンクを構築する基地局として実装される。様々な実施形態においては、モバイルノードは、様々な実施形態の方法を実装するための、受信機／送信機回路及び論理及び／又はルーチンを含むノート型コンピュータ、パーソナルデータアシスタント（ＰＤＡ）、又はその他のポータブルデバイスとして実装される。
【図１】
2009540696.tif 000003
【図２】
2009540696.tif 000004
【図３】
2009540696.tif 000005
【図４】
2009540696.tif 000006
【図５】
2009540696.tif 000007
【図６】
2009540696.tif 000008
【図７】
2009540696.tif 000009
【図８】
2009540696.tif 000010
【図９】
2009540696.tif 000011
【図１０】
2009540696.tif 000012
【国際調査報告】
2009540696.tif 000013
2009540696.tif 000014